(57)【要約】【課題】符号分割多元接続通信システムにおいて、端末装置が基地局から応答情報を受信後に継続して残り情報を送信する際に、受信した応答情報の搭載順に再度アクセスすることで、応答情報が搭載された端末装置同士間でのアクセスタミングの衝突をなくし、スループットの低下を抑制できるようにする。【解決手段】符号分割多元接続通信システムにおける端末装置が、基地局へランダムアクセスし、このランダムアクセスを行なうことにより、前記基地局から送られてくる応答情報ＡＣＫを受信し、前記基地局へランダムアクセスした後に、前記基地局から受信した自端末装置に相当する応答情報ＡＣＫの受信タイミングに従って、前記基地局へ情報を送信する。【選択図】図７
2010161810.tif 000002
【特許請求の範囲】
【請求項１】
符号分割多元接続通信システムにおける基地局との間で通信を行なうに際して共通に使用する回線を介しスペクトル拡散した情報の遣り取りを行なう端末装置であって、
フレーム中の複数のタイミングのいずれかの送信タイミングで前記基地局へランダムアクセスするランダムアクセス手段と、
該基地局へのランダムアクセスを行なうことにより、該基地局から送られてくる応答情報を受信する応答情報受信手段と、
該基地局へランダムアクセスした後に、該応答情報受信手段にて該基地局から受信した自端末装置に相当する応答情報の１フレーム期間中での受信タイミングを基準にしたアクセスタイミングで、該基地局へ情報を送信する送信手段と、を備えたことを特徴とする端末装置。
【発明の詳細な説明】
【技術分野】
【０００１】
本発明は、基地局との間で共通に使用する回線を介してスペクトル拡散した情報の通信を好適に行なえる、端末装置に関する。
【背景技術】
【０００２】
近年、携帯電話の需要の高まりにより、移動通信システムにおける周波数の有効利用が大きな問題になっている。このような中でスペクトル拡散技術を用いた符号分割多元接続（ＣＤＭＡ:Code Division Multiple Access) 通信システムは周波数効率の高いシステムとして注目されており、実用化に向けて研究が盛んに行なわれている。
ＣＤＭＡ通信システムにおいて、ユーザは、移動端末(Mobile Station;以下、「ＭＳ」と言う）を使用して、例えば携帯電話をかける際には、基地局(Base Station;以下「ＢＳ」と言う）から送信される報知情報より送信できるタイミングを基に、ＢＳへフレームを送信する。
【０００３】
ここで、携帯電話からＢＳへ送信されるフレームは、図２４（ｂ）に複数の矢印で示すように、所定の周期内のタイミングで送信される。図２４（ｂ）では、１周期内に例えば、ＢＳへアクセスできる契機が４タイミングあり、各携帯電話は、いずれかのタイミングをランダムに選択して、ＢＳへフレームを送信するようになっている。
図２４（ｂ）では、ＭＳ１ａ〜４ａが、互いに異なるタイミングでＢＳへフレームを送信する場合を示している。なお、ＣＤＭＡ通信システムでは、各ＭＳ１ａ〜４ａが送信したフレームは、拡散コードを用いて拡散されてＢＳへ送信されるが、各ＭＳ１ａ〜４ａがフレームを送信するタイミングが異なるため、各ＭＳ１ａ〜４ａが用いる拡散コードの体系が同じであっても、送信タイミングと共に拡散コードの位相のタイミングもずれるため、ＢＳは、各ＭＳ１ａ〜４ａから送信されたフレームをそれぞれ位相のずれた拡散コードを基に逆拡散して、フレームを抽出することができる。
【０００４】
また、ＢＳでは、各ＭＳ１ａ〜４ａから送信されたフレームを受信したときには、図２４（ａ）に示すように、各ＭＳ１ａ〜４ａ（送信側）に対する応答情報として、ＡＣＫ(Acknowledge) を送信する。ここで、ＡＣＫは、複数のＭＳ１ａ〜４ａへの応答情報を伝送フレームにまとめて送信するようになっている。
一方、各ＭＳ１ａ〜４ａは、フレームをＢＳへ送信後に、ＢＳから出力されたフレームを受信して、先にＢＳへ送信したフレームがＢＳで受信されたかを確認する。受信したフレーム内に、自装置が送信したフレームに対する応答情報があれば、各ＭＳ１ａ〜４ａは、それぞれＢＳへ向けて送信したフレームがＢＳで受信されたこと確認する。また、各ＭＳ１ａ〜４ａは、例えば、ＢＳへフレームを送信してから所定時間内に、自装置が送信したフレームに対する応答情報を受信できないときは、再送の処理を行なう。他方、各ＭＳ１ａ〜４ａは、ＢＳへフレームを送信してから所定時間内に、自装置が送信した情報に対するＡＣＫを受信したときに、継続して、ＢＳへ送信する残りのフレームがあれば、残りのフレーム送信処理を行なう。
【発明の開示】
【発明が解決しようとする課題】
【０００５】
各ＭＳ１ａ〜４ａは、複数のフレームをＢＳへ送る場合に、各フレームを送信する毎にＢＳよりＡＣＫを受信してから残りフレームを送信する。
ここで、ＭＳ１ａ〜４ａが、図２４（ｂ）に示すように、１フレームをＢＳへ送信してから図２４（ａ）に示すようなＡＣＫを受信して、ＭＳ１ａとＭＳ２ａとが残りパケットを送信する場合に、１フレーム内で４つのアクセスタイミングをランダムに選択できるので、ＭＳ１ａとＭＳ２ａとがＢＳへアクセスするタイミングが同じ場合もある。
【０００６】
このとき、ＭＳ１ａとＭＳ２ａとから送信される情報は、同じ位相の拡散コードで拡散された情報であるため、ＢＳでは、ＭＳ１ａとＭＳ２ａとから送信された情報を分離することができず、情報の喪失を招き、ＭＳ１ａとＭＳ２ａとでは、送信後にＢＳから２番目に送信したフレームに対する応答情報を受信できないことにより、再送処理を行なわなければならず、これにより通信システムのスループット(through put)の低下を招くという
課題がある。
【０００７】
本発明は、このような課題に鑑み創案されたもので、端末装置が基地局から応答情報を受信後に継続して残り情報を送信する際に、受信した応答情報の搭載順に再度アクセスすることで、応答情報が搭載された端末装置同士間でのアクセスタミングの衝突をなくし、スループットの低下を抑制できるようにした、端末装置の通信方法及び符号分割多元接続通信方法を提供することを目的とする。
【課題を解決するための手段】
【０００８】
このため、本発明の端末装置の端末装置は、符号分割多元接続通信システムにおける基地局との間で通信を行なうに際して共通に使用する回線を介しスペクトル拡散した情報の遣り取りを行なう端末装置であって、フレーム中の複数のタイミングのいずれかの送信タイミングで前記基地局へランダムアクセスするランダムアクセス手段と、該基地局へのランダムアクセスを行なうことにより、該基地局から送られてくる応答情報を受信する応答情報受信手段と、該基地局へランダムアクセスした後に、該応答情報受信手段にて該基地局から受信した自端末装置に相当する応答情報の１フレーム期間中での受信タイミングを基準にしたアクセスタイミングで、該基地局へ情報を送信する送信手段と、を備えたことを特徴としている。
【０００９】
図１に示すように、符号分割多元接続通信システム１００は、基地局８０と、該基地局８０との間で通信を行なうに際して共通に使用する回線を介しスペクトル拡散した情報の遣り取りを行なう複数の端末装置６０−１〜６０−Ｉ（Ｉ：２以上の整数）とをそなえて構成されている。
さらに、基地局８０は、上記複数の端末装置６０−１〜６０−Ｉからのランダムアクセス時に、該端末装置６０−１〜６０−Ｉからのアクセス信号を受信する受信手段８０ａと、該受信手段８０ａにて該端末装置６０−１〜６０−Ｉからのアクセス信号を受信した場合に、その旨の応答情報を伝送フレームに複数の該端末装置分まとめて搭載して上記複数の端末装置６０−１〜６０−Ｉへ送信する応答情報送信手段８０ｂとをそなえて構成されている。
【００１０】
さらに、該端末装置６０−１〜６０−Ｉは、該基地局８０の該応答情報送信手段８０ｂからの上記複数の応答情報を受信する応答情報受信手段６０ａと、継続して該基地局８０へ送信する残り情報が有る場合に、該基地局８０へランダムアクセスした後に、該応答情報受信手段６０ａにて該基地局８０から受信した上記複数の応答情報のうち自端末装置に相当する応答情報が有する順番に従って、該基地局へ再度アクセスして該残り情報を送信する送信手段６０ｂとをそなえて構成されている。
【００１１】
さらに、上記端末装置６０−１〜６０−Ｉの送信手段６０ｂを、上記残り情報を継続して基地局８０へ送信する際に、上記の自端末装置に相当する応答情報が有する順番に従って設定された送信タイミング期間内に、該基地局８０へ再度アクセスして該残り情報を送信するように構成してもよい。
または、上記基地局８０の応答情報送信手段８０ｂを、所定の優先順位に従って並び替えられた複数の応答情報を搭載した該伝送フレームを上記複数の端末装置６０−１〜６０−Ｉに送信するように構成するのが望ましい。
【００１２】
または、上記基地局８０の応答情報送信手段８０ｂを、所定の優先順位に従って並び替えられた複数の応答情報を搭載した該伝送フレームを上記複数の端末装置６０−１〜６０−Ｉに送信するように構成するとともに、上記端末装置６０−１〜６０−Ｉの送信手段６０ｂが、上記残り情報を継続して基地局８０へ送信する際に、上記の自端末装置に相当する応答情報が有する順番に従って設定された送信タイミング期間内に、該基地局８０へ再度アクセスして該残り情報を送信するように構成することもできる。
【００１３】
または、該端末装置６０−１〜６０−Ｉに、該基地局８０に初めてランダムアクセスを行なう前に、該応答情報受信手段６０ａにて、上記伝送フレームを受信するとともに、受信した上記伝送フレーム内に搭載されている該応答情報の数分だけ送信タイミングをずらして、該基地局８０へランダムアクセスを行なう手段をそなえて構成することもできる。
また、該基地局８０の応答情報送信手段８０ｂを、上記応答情報と共に、残り情報を送信する端末装置の数を示す情報を該伝送フレームに搭載して該端末装置６０−１〜６０−Ｉに送信するように構成するとともに、該端末装置６０−１〜６０−Ｉが該基地局８０に初めてランダムアクセスを行なう前に該応答情報受信手段６０ａにて上記伝送フレームを受信するとともに、該端末装置６０−１〜６０−Ｉは、受信した上記伝送フレーム内に搭載されている残り情報を送信する端末装置の数分だけ送信タイミングをずらして、該基地局８０へランダムアクセスを行なう手段をそなえて構成することもできる。
【００１４】
また、該基地局８０の応答情報送信手段８０ｂを、残り情報を送信する端末装置順に並び替えた該応答情報を搭載した伝送フレームを該端末装置６０−１〜６０−Ｉに送信するとともに、該残り情報を送信する該端末装置への該応答情報が、一定の範囲内で該端末装置６０−１〜６０−Ｉが行なう送信タイミング数を超えるときは、超えた分の該応答情報を次回送信する伝送フレーム内に搭載するように構成することもできる。
【００１５】
または、上記複数の端末装置６０−１〜６０−Ｉを、少なくとも２種の異なる拡散情報の内の一方の拡散情報を用いてスペクトル拡散された情報を該基地局８０へ送信する第１端末装置と、上記少なくとも２種の異なる拡散情報の内の他方の拡散情報を用いてスペクトル拡散された情報を該基地局８０へ送信する第２端末装置として構成し、該基地局８０の応答情報送信手段８０ｂを、各拡散情報別に該応答情報を該伝送フレームに搭載して、該一方の拡散情報を用いた情報を送信した該第１端末装置に対する該応答情報の数情報または該他方の拡散情報を用いた情報を送信した該第２端末装置に対する該応答情報の数情報を該応答情報とともに該伝送フレームに搭載して上記複数の端末装置６０−１〜６０−Ｉに送信するように構成するとともに、上記の第１端末装置または第２端末装置の送信手段６０ｂを、伝送フレーム内の自己が使用する拡散コード別に搭載されている該応答情報順に該残り情報を送信するように構成することもできる。
【００１６】
一方、符号分割多元接続システム用基地局８０は、複数の端末装置６０−１〜６０−Ｉからのランダムアクセス時に、該端末装置６０−１〜６０−Ｉからのアクセス信号を受信する受信手段８０ａと、該受信手段８０ａにて該端末装置６０−１〜６０−Ｉからのアクセス信号を受信した場合に、その旨の応答情報を、継続して該基地局８０へ送信する残り情報が有る上記複数の端末装置が所定の順番で該基地局８０へ再度アクセスして該残り情報を送信しうるように、該端末装置６０−１〜６０−Ｉからのアクセス信号を受信した順に伝送フレームに複数の端末装置分まとめて搭載して上記複数の端末装置６０−１〜６０−Ｉへ送信する応答情報送信手段８０ｂとをそなえて構成される。
【００１７】
さらに、該応答情報送信手段８０ｂを、所定の優先順位に従って並び替えられた複数の応答情報を搭載した該伝送フレームを上記複数の端末装置６０−１〜６０−Ｉに送信するように構成するのが望ましい。
または、該応答情報送信手段８０ｂを、上記応答情報と共に、残り情報を送信する端末装置の数を示す情報を該伝送フレームに搭載して該端末装置６０−１〜６０−Ｉに送信するように構成することもできる。
【００１８】
または、該応答情報送信手段８０ｂを、残り情報を送信する端末装置順に並び替えた該応答情報を搭載した伝送フレームを該端末装置６０−１〜６０−Ｉに送信するとともに、該残り情報を送信する該端末装置への該応答情報が、一定の範囲内で該端末装置６０−１〜６０−Ｉが行なう送信タイミング数を超えるときは、超えた分の該応答情報を次回送信する伝送フレーム内に搭載するように構成することもできる。
【００１９】
または、該応答情報送信手段８０ｂを、各拡散情報別に該応答情報を該伝送フレームに搭載して、少なくとも２種の異なる拡散情報の内の一方の拡散情報を用いてスペクトル拡散された情報を送信した上記複数の端末装置６０−１〜６０−Ｉのうちの第１端末装置に対する該応答情報の数情報または他方の拡散情報を用いてスペクトル拡散された情報を送信した上記複数の端末装置６０−１〜６０−Ｉのうちの第２端末装置に対する該応答情報の数情報を該応答情報とともに該伝送フレームに搭載して上記複数の端末装置６０−１〜６０−Ｉに送信するように構成することもできる。
【００２０】
他方、符号分割多元接続通信システム用端末装置６０−１〜６０−Ｉは、基地局８０へランダムアクセスするランダムアクセス手段６０ｃと、基地局８０へのランダムアクセスを行なうことにより、該基地局８０が、該端末装置６０−１〜６０−Ｉからのアクセス信号を受信した場合に、その旨の応答情報を他の端末装置の応答情報とまとめて伝送フレームに搭載して該基地局８０から送られてくる複数の応答情報を受信する応答情報受信手段６０ａと、継続して該基地局８０へ送信する残り情報が有る場合に、該基地局８０へランダムアクセスした後に、該応答情報受信手段６０ａにて該基地局８０から受信した上記複数の応答情報のうち自端末装置に相当する応答情報が有する順番に従って、該基地局８０へ再度アクセスして該残り情報を送信する送信手段６０ｂとをそなえて構成されている。
【００２１】
さらに、該送信手段６０ｂを、上記残り情報を継続して基地局８０へ送信する際に、上記の自端末装置に相当する応答情報が有する順番に従って設定された送信タイミング期間内に、該基地局８０へ再度アクセスして該残り情報を送信するように構成することもできる。
または、該基地局８０に初めてランダムアクセスを行なう前に、該応答情報受信手段６０ａにて、上記伝送フレームを受信するとともに、受信した上記伝送フレーム内に搭載されている該応答情報の数分だけ送信タイミングをずらして、該基地局８０へランダムアクセスを行なう手段を該端末装置６０−１〜６０−Ｉにそなえることもできる。
【００２２】
または、該基地局８０に初めてランダムアクセスを行なう前に、該応答情報受信手段６０ａにて、該応答情報と共に残り情報を送信する端末装置の数を示す情報を搭載した伝送フレームを受信するとともに、受信した上記伝送フレーム内に搭載されている残り情報を送信する端末装置の数分だけ送信タイミングをずらして、該基地局８０へランダムアクセスを行なう手段を該端末装置６０−１〜６０−Ｉにそなえることもできる。
【００２３】
並びに、符号分割多元接続通信方法は、基地局８０で、複数の端末装置６０−１〜６０−Ｉからのランダムアクセス時に、該端末装置６０−１〜６０−Ｉからのアクセス信号を受信した場合に、その旨の応答情報を伝送フレームに複数の該端末装置分まとめて搭載して上記複数の端末装置６０−１〜６０−Ｉへ送信する応答情報送信ステップと、上記複数の端末装置６０−１〜６０−Ｉが、継続して該基地局８０へ送信する残り情報が有る場合に、該基地局８０へランダムアクセスした後に、該基地局８０から受信した上記複数の応答情報のうち各端末装置に相当する応答情報が有する順番に従って、該基地局８０へ再度アクセスして該残り情報を送信する送信ステップとをそなえて構成される。
【００２４】
さらに、上記複数の端末装置６０−１〜６０−Ｉが上記残り情報を継続して基地局へ送信する際に、各端末装置に相当する応答情報が有する順番に従って設定された送信タイミング期間内に、それぞれ該基地局８０へ再度アクセスして該残り情報を送信するように上記複数の端末装置６０−１〜６０−Ｉを構成することもできる。
または、上記基地局８０は、所定の優先順位に従って並び替えられた複数の応答情報を搭載した該伝送フレームを上記複数の端末装置６０−１〜６０−Ｉに送信してもよい。
【００２５】
または、上記基地局８０が、所定の優先順位に従って並び替えられた複数の応答情報を搭載した該伝送フレームを上記複数の端末装置６０−１〜６０−Ｉに送信するとともに、上記複数の端末装置６０−１〜６０−Ｉが上記残り情報を継続して該基地局８０へ送信する際に、各端末装置に相当する応答情報が有する順番に従って設定された送信タイミング期間内に、それぞれ該基地局８０へ再度アクセスして該残り情報を送信するように上記複数の端末装置６０−１〜６０−Ｉを構成してもよい。
【００２６】
または、該端末装置６０−１〜６０−Ｉが該基地局８０に初めてランダムアクセスを行なう前に、該応答情報受信手段６０ａにて上記伝送フレームを受信するとともに、受信した上記伝送フレーム内に搭載されている該応答情報の数分だけ送信タイミングをずらして、該基地局８０へランダムアクセスを行なうように該端末装置６０−１〜６０−Ｉを構成してもよい。
【００２７】
または、該基地局８０が、上記応答情報と共に、残り情報を送信する端末装置の数を示す情報を該伝送フレームに搭載して該端末装置６０−１〜６０−Ｉに送信するとともに、該端末装置６０−１〜６０−Ｉが該基地局８０に初めてランダムアクセスを行なう前に上記伝送フレームを受信するとともに、受信した上記伝送フレーム内に搭載されている残り情報を送信する端末装置の数分だけ送信タイミングをずらして、該基地局８０へランダムアクセスを行なうように該端末装置６０−１〜６０−Ｉを構成することもできる。
【００２８】
または、該基地局８０が、残り情報を送信する端末装置順に並び替えた該応答情報を搭載した伝送フレームを該端末装置に送信するとともに、該残り情報を送信する該端末装置への該応答情報が、一定の範囲内で該端末装置６０−１〜６０−Ｉが行なう送信タイミング数を超えるときは、超えた分の該応答情報を次回送信する伝送フレーム内に搭載するように構成することもできる。
【００２９】
さらに、上記複数の端末装置６０−１〜６０−Ｉが、少なくとも２種の異なる拡散情報の内の一方の拡散情報を用いてスペクトル拡散された情報を該基地局８０へ送信する第１端末装置と、上記少なくとも２種の異なる拡散情報の内の他方の拡散情報を用いてスペクトル拡散された情報を該基地局８０へ送信する第２端末装置とをそなえ、該基地局８０が、各拡散情報別に該応答情報を該伝送フレームに搭載して、該一方の拡散情報を用いた情報を送信した該第１端末装置に対する該応答情報の数情報または該他方の拡散情報を用いた情報を送信した該第２端末装置に対する該応答情報の数情報を該応答情報とともに該伝送フレームに搭載して上記複数の端末装置６０−１〜６０−Ｉに送信するとともに、上記の第１端末装置または第２端末装置の送信手段６０ｂが、伝送フレーム内の自己が使用する拡散コード別に搭載されている該応答情報順に該残り情報を送信するように構成することもできる。
【発明の効果】
【００３０】
このように、本端末装置によれば、フレーム中の複数のタイミングのいずれかの送信タイミングで基地局へランダムアクセスするランダムアクセス手段と、基地局へのランダムアクセスを行なうことにより、基地局から送られてくる応答情報を受信する応答情報受信手段と、基地局へランダムアクセスした後に、応答情報受信手段にて基地局から受信した自端末装置に相当する応答情報の１フレーム期間中での受信タイミングを基準にしたアクセスタイミングで、基地局へ情報を送信する送信手段と、を備えているので、残り情報を送信する端末装置間の衝突がなくなり、スループットの低下を抑制できる。
【００３１】
さらに、本発明に関連する本端末装置の通信方法によれば、端末装置が、基地局へランダムアクセスし、基地局へのランダムアクセスを行なうことにより、基地局から送られてくる応答情報を受信し、基地局へランダムアクセスした後に、基地局から受信した自端末装置に相当する応答情報の受信タイミングに従って、基地局へ情報を送信するので、残り情報を送信する端末装置間の衝突がなくなり、スループットの低下を抑制できる。
【００３２】
また、本発明に関連する符号分割多元接続通信方法によれば、端末装置が基地局へランダムアクセスし、基地局で、上記端末装置からのランダムアクセス時に、端末装置からのアクセス信号を受信した場合に、前記アクセス信号の受信タイミングに従って、所望のタイミングでその旨の応答情報を伝送フレームに搭載して端末装置へ送信し、上記端末装置が、上記基地局へランダムアクセスした後に、基地局から受信した各端末装置に相当する応答情報の受信に応じて、上記基地局へ前記ランダムアクセスしたタイミングに従って情報を送信するので、残り情報を送信する端末装置間の衝突がなくなり、スループットの低下を抑制できる。
【００３３】
さらに、本発明に関連する端末装置の通信方法によれば、端末装置が、基地局へランダムアクセスし、基地局へのランダムアクセスを行なうことにより、基地局から送られてくる応答情報を受信し、基地局へランダムアクセスした後に、基地局から受信した自端末装置に相当する応答情報の受信に応じて、基地局へ前記ランダムアクセスしたタイミングに従って情報を送信するので、残り情報を送信する端末装置間の衝突がなくなり、スループットの低下を抑制できる。
【００３４】
また、本発明に関連する技術の符号分割多元接続通信システムによれば、端末装置が、応答情報受信手段にて基地局から受信した複数の応答情報のうち自端末装置に相当する応答情報が有する順番に従って、基地局へ再度アクセスして残り情報を送信するので、残り情報を送信する端末装置間の衝突がなくなり、スループットの低下を抑制できる。
さらに、本発明に関連する技術の符号分割多元接続通信システムによれば、残り情報を継続して基地局へ送信する際に、自端末装置に相当する応答情報が有する順番に従って設定された送信タイミング期間内に、基地局へ再度アクセスして残り情報を送信するので、他の端末装置との衝突をも減らすことができる。
【００３５】
または、本発明に関連する技術の符号分割多元接続通信システムによれば、基地局の応答情報送信手段が、所定の優先順位に従って並び替えられた複数の応答情報を搭載した伝送フレームを複数の端末装置に送信するので、優先度の高い情報（複数フレームを送信する）を送信する端末装置のアクセス時間を短縮できる。
さらに、本発明に関連する技術の符号分割多元接続通信システムによれば、基地局の応答情報送信手段が、所定の優先順位に従って並び替えられた複数の応答情報を搭載した伝送フレームを複数の端末装置に送信するとともに、端末装置が、残り情報を継続して基地局へ送信する際に、自端末装置に相当する応答情報が有する順番に従って設定された送信タイミング期間内に、基地局へ再度アクセスして残り情報を送信するので、他の端末装置との衝突を減少できるとともに、優先度の高い情報（複数フレームを送信する）を送信する端末装置のアクセス時間を短縮できる。
【００３６】
または、本発明に関連する技術の符号分割多元接続通信システムによれば、端末装置が、基地局に初めてランダムアクセスを行なう前に、応答情報受信手段にて、伝送フレームを受信するとともに、受信した伝送フレーム内に搭載されている応答情報の数分だけ送信タイミングをずらして、基地局へランダムアクセスを行なうので、初めて基地局へアクセスする端末装置と、残りの情報を送信する端末装置との間の衝突をも減少でき、システムのスループットの低下を抑制できる。
【００３７】
または、本発明に関連する技術の符号分割多元接続通信システムによれば、基地局の応答情報送信手段が、応答情報と共に、残り情報を送信する端末装置の数を示す情報を伝送フレームに搭載して端末装置に送信するように構成されるとともに、端末装置が、基地局に初めてランダムアクセスを行なう前に、応答情報受信手段にて、伝送フレームを受信するとともに、受信した伝送フレーム内に搭載されている残り情報を送信する端末装置の数分だけ送信タイミングをずらして、基地局へランダムアクセスを行なうので、初めて基地局へアクセスする端末装置と、残りの情報を送信する端末装置との間の衝突をも減少できるとともに、遅延時間を減少できる。
【００３８】
または、本発明に関連する技術の符号分割多元接続通信システムによれば、基地局の応答情報送信手段が、残り情報を送信する端末装置順に並び替えた応答情報を搭載した伝送フレームを端末装置に送信するとともに、残り情報を送信する端末装置への応答情報が、一定の範囲内で端末装置が行なう送信タイミング数を超えるときは、超えた分の応答情報を次回送信する伝送フレーム内に搭載するので、同一の伝送フレーム内に、送信タイミング数を超えて応答情報を搭載したときの残り情報を送信する端末間の衝突を回避できる。
【００３９】
または、本発明に関連する技術の符号分割多元接続通信システムによれば、第１端末装置または第２端末装置が、伝送フレーム内の自己が使用する拡散コード別に搭載されている応答情報順に残り情報を送信するので、同一の体系の拡散コードを用いて情報を送信する端末装置間の衝突を回避できて、スループットの低下を抑制できる。
一方、本発明に関連する技術の符号分割多元接続通信システム用基地局によれば、継続して基地局へ送信する残り情報が有る複数の端末装置が所定の順番で基地局へ再度アクセスして残り情報を送信しうるように、端末装置からのアクセス信号を受信した順に伝送フレームに複数の端末装置分まとめて搭載して複数の端末装置へ送信するので、残り情報を送信する端末装置間の衝突がなくなり、スループットの低下を抑制できる。
【００４０】
さらに、本発明に関連する技術の符号分割多元接続通信システム用基地局によれば、所定の優先順位に従って並び替えられた複数の応答情報を搭載した伝送フレームを複数の端末装置に送信するので、優先度の高い情報（複数フレームを送信する）を送信する端末装置のアクセス時間を短縮できる。
または、本発明に関連する技術の符号分割多元接続通信システムによれば、応答情報と共に、残り情報を送信する端末装置の数を示す情報を伝送フレームに搭載して端末装置に送信するので、これから基地局へアクセスする端末装置が残り情報を送信する端末装置の数を知ることができるので、受信した応答情報の端末装置との衝突を回避できるとともに、遅延時間を減少できる。
【００４１】
または、本発明に関連する技術の符号分割多元接続通信システム用基地局によれば、残り情報を送信する端末装置順に並び替えた応答情報を搭載した伝送フレームを端末装置に送信するとともに、残り情報を送信する端末装置への応答情報が、一定の範囲内で端末装置が行なう送信タイミング数を超えるときは、超えた分の応答情報を次回送信する伝送フレーム内に搭載するので、同一の伝送フレーム内に、送信タイミング数を超えて応答情報を搭載したときの残り情報を送信する端末間の衝突を回避できる。
【００４２】
または、本発明に関連する技術の符号分割多元接続通信システム用基地局によれば、応答情報送信手段が、各拡散情報別に応答情報を伝送フレームに搭載して、少なくとも２種の異なる拡散情報の内の一方の拡散情報を用いてスペクトル拡散された情報を送信した複数の端末装置のうちの第１端末装置に対する応答情報を数情報または他方の拡散情報を用いてスペクトル拡散された情報を送信した複数の端末装置のうちの第２端末装置に対する応答情報の数情報を応答情報とともに伝送フレームに搭載して複数の端末装置に送信するので、同一の体系の拡散コードを用いて情報を送信する端末装置間の衝突を回避できて、スループットの低下を抑制できる。
【００４３】
他方、本発明に関連する技術の符号分割多元接続通信システム用端末装置によれば、  基地局へランダムアクセスした後に、応答情報受信手段にて基地局から受信した複数の応答情報のうち自端末装置に相当する応答情報が有する順番に従って、送信手段が基地局へ再度アクセスして残り情報を送信するので、残り情報を送信する端末装置間の衝突をなくして、スループットの低下を抑制できる。
【００４４】
または、本発明に関連する技術の符号分割多元接続通信システム用端末装置によれば、送信手段が、残り情報を継続して基地局へ送信する際に、自端末装置に相当する応答情報が有する順番に従って設定された送信タイミング期間内に、基地局へ再度アクセスして残り情報を送信するので、ランダムアクセスを行なう他の端末装置との衝突をも減少できて、スループットの低下を抑制できる。
【００４５】
または、本発明に関連する技術の符号分割多元接続通信システム用端末装置によれば、基地局に初めてランダムアクセスを行なう前に、応答情報受信手段にて、伝送フレームを受信するとともに、受信した伝送フレーム内に搭載されている応答情報の数分だけ送信タイミングをずらして、基地局へランダムアクセスを行なうので、初めて基地局へアクセスする端末装置と、残りの情報を送信する端末装置との間の衝突をも減少でき、システムのスループットの低下を抑制できる。
【００４６】
または、本発明に関連する技術の符号分割多元接続通信システム用端末装置によれば、基地局に初めてランダムアクセスを行なう前に、応答情報受信手段にて、応答情報と共に残り情報を送信する端末装置の数を示す情報を搭載した伝送フレームを受信するとともに、受信した伝送フレーム内に搭載されている残り情報を送信する端末装置の数分だけ送信タイミングをずらして、基地局へランダムアクセスを行なうので、初めて基地局へアクセスする端末装置と、残りの情報を送信する端末装置との間の衝突をも減少できるとともに、遅延時間を減少できる。
【００４７】
並びに、本発明に関連する技術の符号分割多元接続通信方法によれば、複数の端末装置が、送信ステップにより、継続して基地局へ送信する残り情報が有る場合に、基地局へランダムアクセスした後に、基地局から受信した複数の応答情報のうち各端末装置に相当する応答情報が有する順番に従って、基地局へ再度アクセスして残り情報を送信するので、残り情報を送信する端末装置間の衝突がなくなり、スループットの低下を抑制できる。
【００４８】
さらに、本発明に関連する技術の符号分割多元接続通信方法によれば、複数の端末装置が、残り情報を継続して基地局へ送信する際に、各端末装置に相当する応答情報が有する順番に従って設定された送信タイミング期間内に、それぞれ基地局へ再度アクセスして残り情報を送信するので、他の端末装置との衝突をも減らすことができる。
または、本発明に関連する技術の符号分割多元接続通信方法によれば、基地局が、所定の優先順位に従って並び替えられた複数の応答情報を搭載した伝送フレームを複数の端末装置に送信するので、優先度の高い情報（複数フレームを送信する）を送信する端末装置のアクセス時間を短縮できる。
【００４９】
または、本発明に関連する技術の符号分割多元接続通信方法によれば、基地局が、所定の優先順位に従って並び替えられた複数の応答情報を搭載した伝送フレームを複数の端末装置に送信するとともに、複数の端末装置が、残り情報を継続して基地局へ送信する際に、各端末装置に相当する応答情報が有する順番に従って設定された送信タイミング期間内に、それぞれ基地局へ再度アクセスして残り情報を送信するので、他の端末装置との衝突を減少できるとともに、優先度の高い情報（複数フレームを送信する）を送信する端末装置のアクセス時間を短縮できる。
【００５０】
または、本発明に関連する技術の符号分割多元接続通信方法によれば、端末装置が、基地局に初めてランダムアクセスを行なう前に、応答情報受信手段にて、伝送フレームを受信するとともに、受信した伝送フレーム内に搭載されている応答情報の数分だけ送信タイミングをずらして、基地局へランダムアクセスを行なうので、初めて基地局へアクセスする端末装置と、残りの情報を送信する端末装置との間の衝突をも減少でき、システムのスループットの低下を抑制できる。
【００５１】
または、本発明に関連する技術の符号分割多元接続通信方法によれば、基地局が、応答情報と共に、残り情報を送信する端末装置の数を示す情報を伝送フレームに搭載して端末装置に送信するとともに、端末装置が、基地局に初めてランダムアクセスを行なう前に、伝送フレームを受信するとともに、受信した伝送フレーム内に搭載されている残り情報を送信する端末装置の数分だけ送信タイミングをずらして、基地局へランダムアクセスを行なうので、初めて基地局へアクセスする端末装置と、残りの情報を送信する端末装置との間の衝突をも減少できるとともに、遅延時間を減少できる。
【００５２】
または、本発明に関連する技術の符号分割多元接続通信方法によれば、基地局が、残り情報を送信する端末装置順に並び替えた応答情報を搭載した伝送フレームを端末装置に送信するとともに、残り情報を送信する端末装置への応答情報が、一定の範囲内で端末装置が行なう送信タイミング数を超えるときは、超えた分の応答情報を次回送信する伝送フレーム内に搭載するので、同一の伝送フレーム内に、送信タイミング数を超えて応答情報を搭載したときの残り情報を送信する端末間の衝突を回避できる。
【００５３】
または、本発明に関連する技術の符号分割多元接続通信方法によれば、第１端末装置または第２端末装置の送信手段が、伝送フレーム内の自己が使用する拡散コード別に搭載されている応答情報順に残り情報を送信するので、同一の体系の拡散コードを用いて情報を送信する端末装置間の衝突を回避できて、スループットの低下を抑制できる。
【発明を実施するための最良の形態】
【００５４】
以下、図面を用いて本発明及び本発明に関連する技術について説明する。
（１）第１実施形態の説明
図２は、本発明の第１実施形態が適用されるＣＤＭＡ通信システム１の構成を示すブロック図であり、この図２に示すように、ＣＤＭＡ通信システム１は、ＢＳ１Ｂと複数のＭＳ１Ａ〜ｎＡ（ｎは整数）を設けている。
【００５５】
以下、ＭＳ１Ａ〜ｎＡが、携帯電話である場合を前提に説明を行ない、他のモバイル機器については説明を省略するが、他のモバイル機器についても同様若しくは同一である。
また、携帯電話間で通話を開始する前の各携帯電話（ＭＳ）と基地局（ＢＳ）との間で情報を共通の制御チャンネルを用いて送信／受信する場合に関して説明を進める。
ここで、各ＭＳ１Ａ〜ｎＡは、移動体通信の子局であり、例えば、ＭＳｉＡ（ｉ；整数）が、他のＭＳｊＡ〔ｊ（ｊ≠ｉ）；整数〕に電話をかける時は、ＭＳｉＡは、自分の電話番号等の確認情報をフレーム（上り）に搭載してＢＳ１Ｂに送信するようになっている。
【００５６】
ここで、各ＭＳ１Ａ〜ｎＡは、図３（ｂ）に示すように、自分の電話番号等の情報とともに、ユーザ／制御情報（Ｕ／Ｃ），終端する場所を指定する終端ノード情報（ＴＮ），続けて送信するフレームがある事を示す継続ビット（Ｗ），連続して送信するフレームの続き番号を示すシーケンスナンバー(Sequence Number)，自端末が送信したフレームを示
す識別子としてのパケット番号(Packet ID:PID)等の情報をフレーム（上り）２に搭載し
て送信するようになっている。なお、各ＭＳ１Ａ〜ｎＡは、他のフォーマット構成の他のフレーム（上り）を送信できるようになっている。
【００５７】
また、各ＭＳ１Ａ〜ｎＡは、図３（ａ）に示すように、送信フレーム（下り）がＡＣＫである事を示すＡＣＫモード（Ｍｏ），ＡＣＫ搭載数（ＮＡ），ＡＣＫ情報(Packet ID:PID)を搭載したフレーム（下り）３をＢＳ１Ｂから受信するようになっている。
なお、ＡＣＫ情報（応答情報）は、各ＭＳ１Ａ〜ｎＡから送信されたフレーム（上り）２内のＰＩＤが、ＡＣＫ情報としてフレーム（下り）３に搭載され、フレーム（下り）３は、ＰＩＤを複数ＭＳ分搭載されて送信されるようになっており、フレーム（下り）３内に搭載されているＰＩＤの数をＡＣＫ搭載数が示すようになっている。なお、以下、各ＡＣＫ情報としてのＰＩＤを単に応答情報と言う場合があり、説明の便宜上、図中のフレーム（下り）３内のＰＩＤを「ＭＳ１Ａ」，「ＭＳ２Ａ」等として表記し、例えば、図中のフレーム（下り）３内の「ＭＳ１Ａ」は、ＭＳ１ＡのＰＩＤであることを意味する。
【００５８】
以下、例として、１フレーム（下り）３に搭載される応答情報の最大数を"７"として、説明をする。
ここで、ＭＳ１Ａ〜ｎＡは、複数のＭＳ１Ａ〜ｎＡとＢＳ１Ｂとで共通に使用する共通制御チャンネルを介して複数のＭＳ１Ａ〜ｎＡで拡散コードを用いて拡散したフレーム（上り）２をＢＳ１Ｂへ送信するものであるとともに、ＢＳ１Ｂから送信されたフレーム（下り）３を受信するものである。
【００５９】
さらに、ＭＳ１Ａ〜ｎＡは、フレーム（上り）２をＢＳ１Ｂへ送信後、継続して残りの情報〔以下、残りの情報を搭載したフレームを「残りのフレーム」と言う〕を送信する場合は、ＢＳ１Ｂから受信したフレーム（下り）３に搭載されている応答情報の順番で、残りのフレーム（上り）２の送信アクセスを行なうようになっている。
また、各ＭＳ１Ａ〜ｎＡは、ＢＳ１Ｂへフレーム（上り）２を初めて送信するに際して、ＢＳ１Ｂから送信される報知情報を基に、フレーム（上り）２を送信するアクセスタイミングをランダムに選択して、フレーム（上り）２を送信するようになっている。
【００６０】
なお、例として、アクセスタイミングは、１周期内に４回の場合を前提として説明をする。さらに、４つのアクセスタイミングに対応して、各ＭＳ１Ａ〜ｎＡで使用される共通の体系の拡散コードの位相は、アクセスタイミング毎にずれることで、各異なるアクセスタイミングで送信される信号は、それぞれ異なる位相の拡散コードで拡散されており、各周期内の同じアクセスタイミングでは、同じ位相の拡散コードにより信号は拡散されるようになっている。
【００６１】
ここで、上記の如く各ＭＳ１Ａ〜ｎＡが残りのフレーム２を送信するタイミングは、受信したフレーム３に搭載されている順番に従って設定され、具体的には、フレーム３内に１番目に応答情報が搭載されているときは、４つのアクセスタイミングの内の最初のアクセスタイミングに設定され、２番目に応答情報が搭載されていれば２番目のアクセスタイミング，４番目に応答情報が搭載されていれば４番目のアクセスタイミング等と設定される。
【００６２】
なお、各ＭＳ１Ａ〜ｎＡは、ＢＳ１Ｂへフレーム（上り）２を送信後、例えば、所定時間が経過しても送信したフレーム（上り）に対する応答情報が受信されないときは、各ＭＳ１Ａ〜ｎＡは、再送処理を行なうようになっている。
これらのために、第１実施形態に係るＭＳは、図４に示すように、受信部１０と送信部２０とデュプレクサ３０とＣＰＵ４０とアンテナ５０とをそなえて構成されている。
【００６３】
ここで、送信部２０は、ＢＳ１Ｂへフレーム（上り）２を送信するものであり、ＣＰＵ４０からの信号をアクセスタイミング時に対応した位相の拡散コードでスペクトル拡散したフレームを送信するようになっている他、他のフレーム（上り）を送信できるものでもある。
このため、送信部２０は、図４に示すように、拡散部２１と波形整形用フィルタ２２，２３とディジタル／アナログ変換器（Ｄ／Ａ）２４，２５と直交変調回路２６と周波数変換回路２７とをそなえて構成されている。
【００６４】
拡散部２１がＣＰＵ２０からの信号を拡散コードを用いて拡散した拡散信号は、Ｉチャネル及び、Ｑチャネルの符号がそれぞれフィルタ２２，２３を通して不要帯域が除去されると、Ｉチャネル成分のディジタル／アナログ変換器（Ｄ／Ａ）２４及びＱチャネル成分のディジタル／アナログ変換器（Ｄ／Ａ）２５に入力されて対応するアナログ信号に変換される。
【００６５】
直交変調回路２６にて、Ｄ／Ａ２４，２５で変換されたＩチャネルアナログ信号及びＱチャネルアナログ信号は、直交変調信号に直交変調された後に、周波数変換回路２７で中間周波信号（ＩＦ信号）から無線周波数信号（ＲＦ信号）にアップコンバートされ、デュプレクサ３０を通して、アンテナ５０に導かれ送信される。
次に、図４に示す受信部１０は、ＢＳ１Ｂから送信されたフレーム（下り）３を受信するものであり、周波数変換回路１１と直交検波回路１２とアナログ／ディジタル変換器（Ａ／Ｄ）１３，１４とパスサーチ回路１７と逆拡散部１６と波形整形用フィルタ１８，１９とをそなえて構成されている。なお、受信部１０は、ＢＳ１Ｂから送信されるフレーム（下り）３とは異なるフォーマット構成の他のフレーム（下り）を受信できるようにもなっている。
【００６６】
アンテナ５０及びデュプレクサ３０を介して受信された信号（無線周波受信信号：ＲＦ信号）は周波数変換回路１１において中間周波信号（ＩＦ信号）にダウンコンバートされ、次いで直交検波回路１２でＩチャネル成分とＱチャネル成分に分離される。Ｉチャネル成分とＱチャネル成分は、それぞれＩチャネル成分のアナログ／ディジタル変換器（Ａ／Ｄ）１３、Ｑチャネル成分のアナログ／ディジタル変換器（Ａ／Ｄ）１４において、ディジタル信号に変換される。
【００６７】
Ａ／Ｄ１３，１４からのディジタル信号は、フィルタ１８，１９を通して不要帯域が除去されると、逆拡散部１６に入力されて、所定のコードを用いて分離される。分離されたフレーム（下り）３の信号は、ＣＰＵ４０へ出力される。なお、逆拡散部１６は、パスサーチ回路１７からのタイミング設定を基に、逆拡散を行なう。
図４に示すＣＰＵ４０は、共通制御チャンネルを介してＢＳ１Ｂへフレーム（上り）２を送信するとき等に、ＢＳ１Ｂから送信されるＢＳ１Ｂへアクセスするタイミングを知らせる情報に基づいた４アクセスタイミングの何れかをランダムに選択して、フレーム（上り）２をＢＳ１Ｂへ送信するように各部を制御するものであるとともに、受信したフレーム（下り）３から自装置が送信したフレーム（上り）２に対応する応答情報が有るかを判断するとともに、続けて残りのフレーム（上り）２を送信する場合には、自装置が先に送信したフレーム（上り）２に対応する応答情報が搭載されている順番をも判断し、その順番に従ったアクセスタイミングで残りのフレーム（上り）２を送信するように、拡散部２１へ送信信号を出力する等行なうようになっている。
【００６８】
このように、各ＭＳ１Ａ〜ｎＡは、ＢＳ１Ｂへランダムアクセスするランダムアクセス手段の機能をそなえるとともに、ＢＳ１Ｂへのランダムアクセスを行なうことにより、ＢＳ１Ｂが、ＭＳ１Ａ〜ｎＡからのアクセス信号を受信した場合に、その旨の応答情報を他のＭＳの応答情報とまとめてフレーム（下り）３に搭載してＢＳ１Ｂから送信された複数の応答情報を受信する応答情報受信手段の機能もそなえる他、継続してＢＳ１Ｂへ送信する残りのフレーム（残り情報）２が有る場合に、ＢＳ１Ｂへランダムアクセスした後に、ＢＳ１Ｂから受信した複数の応答情報のうち自端末に相当する応答情報が有する順番に従って、ＢＳ１Ｂへ再度アクセスして残りのフレーム（上り）２を送信する送信手段の機能をそなえるものである。
【００６９】
一方、図２に示すＢＳ１Ｂは、移動通信の基地局であり、共通制御チャンネルを介して複数のＭＳ１Ａ〜ｎＡとの間でフレーム（上り）２を受信し、フレーム（下り）３を送信するものであり、各ＭＳ１Ａ〜ｎＡから送信されたフレーム（上り）２を受信したときには、応答情報として、図３（ａ）に示すようなデータをＢＳは、送信するようになっている。なお、ＢＳ１Ｂは、ＡＴＭネットワーク（図２には示さない）等を介して他のＢＳと情報を遣り取りを行なうことができ、他のＢＳが収容するＭＳと自己が収容するＭＳとの間で通話回線を設定できるようになっている。また、ＢＳ１Ｂは、図３（ａ）に示すフレーム（下り）とは異なるフォーマット構成のフレーム（下り）を送信できる他、他のフレーム（上り）をも受信できるようにもなっている。
【００７０】
このため、ＢＳ１Ｂは、図５に示すように、受信部１０−１と送信部２０−１とデュプレクサ３０とＣＰＵ４０−１とアンテナ５０とをそなえて構成されている。
ここで、送信部２０−１は各ＭＳ１Ａ〜ｎＡの送信部２０と同じように拡散部２１とフィルタ２２，２３とＤ／Ａ２４，２５と直交変調回路２６と周波数変換回路２７とをそなえて構成されている一方、受信部１０−１も、受信部１０と同じように周波数変換回路１１と直交検波回路１２とＡ／Ｄ１３，１４とパスサーチ回路１７と波形整形用フィルタ１８，１９とをそなえて構成されているが、複数の逆拡散部１６−１〜１６−４をそなえて構成されていることを図４に示す受信部１０の構成と異にする。
【００７１】
なお、各ＭＳ１Ａ〜ｎＡがフレーム（上り）２を送信する契機が、１周期内に４アクセスタイミングあることに対応して、各アクセスタイミングで送信された信号をそれぞれ位相のずれた拡散コードで逆拡散するために、受信部１０−１は、複数の逆拡散部１６−１〜１６−４をそなえている。
各ＭＳ１Ａ〜ｎＡが送信した位相のずれた拡散コードを用いて拡散された信号を受信部１０−１で受信すると、逆拡散部１６−１〜１６−４のいずれかで所望の拡散コードを用いて受信した信号を逆拡散して抽出した信号をＣＰＵ４０−１に通知する。
【００７２】
ＣＰＵ４０−１は、いずれかの逆拡散部１６−１〜１６−４から受信した信号を基に、ＣＲＣチェック等を行ない、各ＭＳ１Ａ〜ｎＡが送信した内容を判断して受信を確認する。次いで、ＣＰＵ４０−１は、受信に対する応答情報の送出を行なうために、受信した複数の信号〔フレーム（上り）２〕内に搭載されているＰＩＤをコピーして、フレーム（下り）３内に搭載した信号を送信部２０−１へ出力する。
【００７３】
その後、ＣＰＵ４０−１から出力された送信信号は、送信部２０−１で所望の拡散コードを用いてスペクトル拡散等施されて、アンテナ５０から送信される。  このように、ＢＳ１Ｂは、複数のＭＳ１Ａ〜ｎＡからのランダムアクセス時に、ＭＳ１Ａ〜ｎＡからのフレーム（上り）２を受信する受信手段と、フレーム（上り）２を受信した場合に、応答情報をフレーム（下り）３に複数分まとめて搭載して送信する応答情報送信手段、即ち、ＭＳ１Ａ〜ｎＡからのアクセス信号を受信した場合に、その旨の応答情報を、継続してＢＳ１Ｂへ送信する残りのフレーム（上り）２が有るＭＳが所定の順番でＢＳ１Ｂへ再度アクセスして残りのフレーム（上り）２を送信しうるように、ＭＳからのアクセス信号を受信した順にフレーム（下り）３に複数のＭＳ分まとめて搭載してＭＳ１Ａ〜ａＡへ送信する機能をそなえるようになっている。
【００７４】
なお、図６は、本発明の実施の形態に係るＣＤＭＡ通信システムの信号シーケンスを説明するための図であり、この図６に示すように、ＭＳｋＡ（ｋ；ｋ＝１〜ｎ）は、アクセスタイミングを選択して、ＢＳ１Ｂへフレーム（上り）２を送信する。ＢＳ１Ｂでは、ＭＳｋＡから送信されたフレーム（上り）２を受信できると、応答情報をフレーム（下り）３に搭載してＭＳｋＡへ送信する。
【００７５】
フレーム（上り）２をＢＳ１Ｂへ送信したＭＳｋＡは、例えば、ＡＣＫの受信を確認するために、タイマ監視を行ない、所定時間内に、先に送信したフレーム（上り）２に対するＡＣＫを受信できないときには、再送処理を行なう。
一方、ＭＳｋＡは、ＢＳ１Ｂから送信されたフレーム（下り）３を受信して、フレーム（下り）３に、送信したフレーム（上り）２に対する応答情報の受信を確認すると、続けて送信する残りのフレーム（上り）２があれば、残りのフレーム（上り）２の送信処理を行なうようになっている。
【００７６】
そして、このような制御信号の遣り取りの後に、通信が開始される。
以下、図７（ａ）及び（ｂ）に示すタイムチャートと図８に示すフローチャートを用いて、第１実施形態に係るＣＤＭＡ通信システム１の動作を説明する。
以下、各ＭＳ１Ａ〜３Ａが、残りのフレーム（上り）２を送信する場合を前提に説明をする。
【００７７】
上述の如く構成された第１実施形態に係るＣＤＭＡ通信システムによれば、各ＭＳ１Ａ〜３Ａは、ＢＳ１Ｂへフレーム（上り）２を送信する際に、周期内の４アクセスタイミングの何れかをランダムに選択して、フレーム（上り）２を送信する。
以下、例として、図７（ｂ）に示すように、周期Ｔ−１内でＭＳ１Ａ〜３Ａがそれぞれ異なるアクセスタイミング（ｔ−１，ｔ−３，ｔ−４）でフレーム（上り）２を送信した場合を前提にする。
【００７８】
すなわち、まず各ＭＳ１Ａ〜３Ａは、フレーム（上り）２を送信後にタイマをスタートさせる（ステップＳ１）。
ＢＳ１Ｂは、各ＭＳ１Ａ〜３Ａから送信されたフレーム（上り）２の受信を確認すると、各ＭＳ１Ａ〜３Ａに対する応答情報を受信した順に下りフレーム（下り）３に搭載して送信する（例えば、図７（ａ）中の周期Ｔ−ｂ）。
【００７９】
各ＭＳ１Ａ〜３Ａは、例えば、図７（ｂ）中の周期Ｔ−３でＢＳ１Ｂから送信されたフレーム（下り）３を受信し（ステップＳ２）、周期Ｔ−４内で受信フレーム（下り）３がＡＣＫモード且つ送信したＰＩＤと同一であるか否かを判断する（ステップＳ３）。
ここで、ＢＳ１Ｂから受信したフレームがＡＣＫモードに該当しないときや送信したＰＩＤと一致しないときは、始動したタイマが完了しているか判断し（ステップＳ３のＮＯルートからステップＳ８）、タイマが最大値までカウントアップされていれば、再送処理を行なう（ステップＳ８のＹＥＳルートからステップＳ９）一方、タイマが完了していなければ、フレームの受信処理に移行する（ステップＳ８のＮＯルートからステップＳ２）。
【００８０】
なお、タイマは、受信フレーム（下り）３から送信したＰＩＤが検出されると、カウント値をクリアされるようになっている。
他方、送信したＰＩＤと同一であるときは、各ＭＳ１Ａ〜３Ａは、継続して送信する残りのフレーム（上り）２があるか判断し（ステップＳ３のＹＥＳルートからステップＳ４）、残りのフレーム（上り）２がなければ送信完了とする（ステップＳ４のＮＯルートからステップＳ１０）。
【００８１】
一方、各ＭＳ１Ａ〜３Ａは、残りのフレーム（上り）２があれば、受信したフレーム（下り）３に搭載されている複数の応答情報内で、自分のＰＩＤ（応答情報）の位置（順番）を検出して（ステップＳ４のＹＥＳルートからステップＳ５）、送信タイミングを検出したＰＩＤの位置に設定して（ステップＳ６）、残りのフレーム（上り）２を送信する（ステップＳ７）。
【００８２】
ここで、各ＭＳ１Ａ〜３Ａは、周期Ｔ−３で受信したフレーム（下り）３内に搭載されている自ら送信したフレーム（上り）２に対する応答情報の搭載順〔図７（ａ）参照〕を確認すると、ＭＳ１Ａに対する応答情報が、１番目に搭載されていることから、ＭＳ１Ａは、残りのフレーム（上り）２を周期Ｔ−５内のアクセスタイミングｔ−１で送信し、ＭＳ２Ａは、アクセスタイミングｔ−２で送信し、ＭＳ３Ａは、アクセスタイミングｔ−３で送信する。
【００８３】
さらに、残りのフレーム（上り）２があれば、上記同様の処理（ステップＳ１〜Ｓ７及びステップＳ８〜Ｓ１０）が行なわれる。
このように、本発明の第１実施形態に係るＣＤＭＡ通信によれば、例えば、フレームを送信後に継続して、残りのフレーム（上り）２を送信するＭＳ１Ａ〜３Ａが、ＢＳ１Ｂから受信したフレーム（下り）３に搭載されている複数の応答情報のうち自端末装置に相当する応答情報が有する順番に従って、ＢＳ１Ｂへ再度アクセスして残りのフレーム（上り）２を送信するので、残りのフレーム（上り）２を送信するＭＳ１Ａ〜３Ａ間の衝突がなくなり、スループットの低下を抑制できる。
（２）第１実施形態の第１変形例の説明
第１実施形態の第１変形例においても、ＢＳ１ＢやＭＳ１Ａ〜ｎＡの機能は、第１実施形態にて説明したものとほぼ同じであるが、この第１変形例に係るＣＤＭＡ通信システム（前記のＣＤＭＡ通信システム１と区別するために符号を付する）１−１は、第１実施形態に係るＣＤＭＡ通信システム１に比して、設定された送信タイミング期間内に各ＭＳ１Ａ〜ｎＡが残りのフレーム（上り）２を送信することを異にする。なお、本第１変形例の説明において、前述の第１実施形態にて記述した符号と同じ符号を付したものは、同一若しくはほぼ同様のものとする。
【００８４】
このため、ＭＳ１Ａ〜ｎＡは、送信したフレーム（上り）２に対する応答情報を受信して、残りのフレーム２を送信するアクセスタイミングをフレーム（下り）３に応答情報が搭載されている順番に従って、設定されたアクセスタイミング期間内に残りのフレーム（上り）２を送信するようになっている。
例えば、残りのフレーム（上り）２を送信するアクセスタイミング期間は、フレーム（下り）３に搭載されている応答情報の順番に従って、それぞれ異なる周期に設定することができる。残りのフレーム（上り）２を送信するアクセスタイミングは、各周期内の４アクセスタイミングからランダムに選択されるようになっている。
【００８５】
以下、このような例を前提として、説明を進める。
なお、図４に示すＣＰＵ４０が、残りのフレーム（上り）２を送信するタイミングを設定するようになっている。
ここで、図９（ａ）及び（ｂ）は、本発明の第１実施形態の第１変形例に係るＣＤＭＡ通信システム１−１の動作を説明するためのタイムチャートであり、ＭＳ１Ａ〜３Ａがフレーム（上り）２を送信した後に、継続して残りのフレーム（上り）２を送信する場合を前提に説明をする。図９（ｂ）に示すように、各ＭＳ１Ａ〜３Ａは、残りのフレーム（上り）２を送信するアクセスタイミグをフレーム（下り）３に応答情報が搭載されている順番に従って、異なる周期Ｔ１−５，Ｔ１−６，Ｔ１−７内で選択して、残りのフレーム（上り）２を送信するようになっている。
【００８６】
以下、図９（ａ）及び（ｂ）のタイムチャートと図１０のフローチャートを用いて、第１実施形態の第１変形例に係るＣＤＭＡ通信システム１−１に係るＭＳの動作を説明する。
上述の如く構成される第１実施形態の第１変形例に係るＣＤＭＡ通信システム１−１によれば、各ＭＳ１Ａ〜３Ａは、ＢＳ１Ｂへフレーム（上り）２を送信する際に、周期内の４アクセスタイミングの何れかをランダムに選択する。
【００８７】
以下、例として、図９（ｂ）に示すように、周期Ｔ１−１内でＭＳ１Ａ〜３Ａがそれぞれ異なるアクセスタイミング（ｔ−１，ｔ−３，ｔ−４）でフレーム（上り）２を送信した場合を前提にする。
各ＭＳ１Ａ〜３Ａは、フレーム（上り）２を送信後にタイマをスタートさせる（ステップＡ１）。
【００８８】
ＢＳ１Ｂは、各ＭＳ１Ａ〜３Ａから送信されたフレーム（上り）２の受信を確認すると、各ＭＳ１Ａ〜３Ａに対する応答情報を受信した順にフレーム（下り）３に搭載して送信する。
各ＭＳ１Ａ〜３Ａは、周期Ｔ１−３でＢＳ１Ｂから送信されたフレーム（下り）３を受信し（ステップＡ２）、周期Ｔ−４内で受信したフレーム（下り）３がＡＣＫモード且つ送信したＰＩＤと同一であるか否かを判断する（ステップＡ３）。
【００８９】
ここで、ＢＳ１Ｂから受信したフレーム（下り）３がＡＣＫモードに該当しないときや送信したＰＩＤと一致しないときは、始動したタイマが完了しているか判断し（ステップＡ３のＮＯルートからステップＡ９）、タイマが最大値までカウントアップされていれば、再送処理を行なう（ステップＡ９のＹＥＳルートからステップＡ１０）一方、タイマが完了していなければ、フレームの受信処理に移行する（ステップＡ９のＮＯルートからステップＡ２）。
【００９０】
なお、タイマは、受信フレーム（下り）３から送信したＰＩＤが検出されると、カウント値をクリアされるようになっている。
他方、送信したＰＩＤと同一であるときは、各ＭＳ１Ａ〜３Ａは、継続して送信する残りのフレーム（上り）２があるか判断し（ステップＡ３のＹＥＳルートからステップＡ４）、残りのフレーム（上り）２がなければ送信完了とする（ステップＡ４のＮＯルートからステップＡ１１）。
【００９１】
一方、各ＭＳ１Ａ〜３Ａは、残りのフレーム（上り）２があれば、受信したフレーム（下り）３に搭載されている複数の応答情報内で、自分のＰＩＤの位置（順番）を検出して（ステップＡ４のＹＥＳルートからステップＡ５）、検出したＰＩＤの順番に従って、送信可能な周期を設定し（ステップＡ６）、設定された周期内の４アクセスタイミングからいずれかを選択して設定する（ステップＡ７）。
【００９２】
その後、設定したアクセスタイミングになると、各ＭＳ１Ａ〜３Ａは、残りのフレーム（上り）２をＢＳ１Ｂへ送信する（ステップＡ８）。
図９（ｂ）に示すように、各ＭＳ１Ａ〜３Ａは、周期Ｔ１−３で受信したフレーム（下り）３内に搭載されている自ら送信したフレーム（上り）２に対する応答情報の搭載順〔図９（ａ）参照〕に従って、ＭＳ１Ａは、残りのフレーム（上り）２を周期Ｔ１−５内でランダムに選択したアクセスタイミングｔ−３で送信し、ＭＳ２Ａは、周期Ｔ１−６内でランダムに選択したアクセスタイミングｔ−１で送信し、ＭＳ３Ａは、周期Ｔ１−７内でランダムに選択したアクセスタイミングｔ−４で送信する。
【００９３】
さらに、残りのフレーム（上り）２があれば、上記同様の処理（ステップＡ１〜Ａ８及びステップＡ９〜Ａ１１）が行なわれる。
このように、第１実施形態の第１変形例に係るＣＤＭＡ通信システム１−１によれば、前記の第１実施形態の説明で述べた他、ＭＳ１Ａ〜３Ａが、残りのフレーム（上り）２を送信するアクセスタイミングが局所的に集まらずに、例えば、異なる周期毎に設定されて、分散されるので、図９（ｂ）に示すように、周期Ｔ１−５で他のＭＳ６Ａ，７Ａがアクセスするタイミングｔ−２，ｔ−４と衝突することを減少できて、さらにスループットの低下を抑制できる。
（３）第１実施形態の第２変形例の説明
第１実施形態の第２変形例においても、ＢＳ１ＢやＭＳ１Ａ〜ｎＡの機能は、第１実施形態にて説明したものとほぼ同じであるが、この第２変形例に係るＣＤＭＡ通信システム（前記のＣＤＭＡ通信システム１と区別するために符号を付する）１−２は、所定の優先順位に従って並び替えられた複数の応答情報を搭載したフレーム（下り）３を複数のＭＳ１Ａ〜ｎＡに送信する点で、第１実施形態に係るＣＤＭＡ通信システム１と異なる。
【００９４】
なお、第１実施形態にて記述の符号と同じ符号を付したものは、同一若しくはほぼ同一のものとする。
このため、ＢＳ１Ｂは、各ＭＳ１Ａ〜ｎＡから送信されたフレーム（上り）２に対する応答情報を所定の優先順位に従って並び替えてフレーム（下り）３に搭載して送信するように構成されている。
【００９５】
ここで、ＢＳ１Ｂは、例えば、受信したフレーム（上り）２内の継続ビットＷ（図３（ｂ）参照）を用いて優先順位を判断するようになっている。
この優先順位の例としては、下記の表１に示すように、継続して送信するフレーム（上り）２があるフレームが優先度が高い一方で、継続して送信するフレームがないフレームの優先度が低くなっている。
【００９６】
【表１】
2010161810.tif 000003
【００９７】
なお、ＣＰＵ４０−１が、このような優先順位に従った応答情報の並び替えを行なうようになっている。
以下、図１１（ａ），（ｂ）のタイムチャートと図１２を用いて、第１実施形態に係る第２変形例に係るＣＤＭＡ通信システムの動作を説明する。
上述の如く構成された、第１実施形態に係る第２変形例に係るＣＤＭＡ通信システムによれば、各ＭＳ１Ａ〜ｎＡは、フレーム（上り）２を送信する際に、周期内の４アクセスタイミングからいずれかを選択する。
【００９８】
以下、図１１（ｂ）に示す周期Ｔ２−１で、各ＭＳ１Ａ〜３Ａが、それぞれ異なるアクセスタイミング（ｔ−１，ｔ−３，ｔ−４）でフレーム（上り）２を送信し、ＭＳ１Ａが送信したフレーム（上り）２の継続ビットＷが"１０"，ＭＳ２Ａが送信したフレーム（上り）２の継続ビットＷが"０１"，ＭＳ３Ａが送信したフレームの継続ビットＷが"００"の場合を前提とする他、ＢＳ１Ｂは、各ＭＳ１Ａ〜３Ａから出力されたフレーム（上り）２をそれぞれ受信して、応答情報を同じフレーム（下り）３に搭載して送信する場合を前提に説明をする。
【００９９】
ＢＳ１Ｂは、フレーム（上り）２を受信すると（ステップＢ１）、ＣＲＣチェックを行ないチェック結果が正常であるか判断する（ステップＢ２）。
ここで、チェック結果が正常でなければ、フレーム（下り）３を送信するタイミングか判断する（ステップＢ２のＮＯルートからステップＢ１０）。
一方、ＢＳ１Ｂは、ＣＲＣチェック結果が正常であれば、継続ビットＷを検出する（ステップＢ２のＹＥＳルートからステップＢ３）。
【０１００】
その後、ＢＳ１Ｂは、検出した継続ビットＷを基に、受信したフレーム（上り）２の次に継続して受信するフレーム（上り）２があるかを判断し（ステップＢ４）、継続して受信するフレーム（上り）２がなければ、優先度を"３"に設定する（ステップＢ４のＮＯルートからステップＢ８）。例えば、受信したフレーム（上り）２の継続ビットＷが"１１"，"０１"あるときに、優先度を"３"に設定する。
【０１０１】
一方、継続して受信するフレーム（上り）２があると判断したとき、ＢＳ１Ｂは、さらに受信フレーム（上り）２が継続して受信したフレーム（上り）２であるか否かを判断する（ステップＢ４のＹＥＳルートからステップＢ５）し、受信フレーム（上り）２が継続して受信したフレーム（上り）２であるときは、ＢＳ１Ｂは、優先度を"１"に設定する（ステップＢ５のＹＥＳルートからステップＢ６）。例えば、受信したフレーム（上り）２の継続ビットＷが"００"あるときは、優先度を"１"に設定する。
【０１０２】
他方、ＢＳ１Ｂは、継続して受信したフレーム（上り）２に該当しないときは、優先度を"２"に設定する（ステップＢ５のＮＯルートからステップＢ７）。例えば、受信したフレーム（上り）２の継続ビットＷが"１０"であるときは、優先度を"２"に設定する。
ここで、ＢＳ１Ｂは、ＭＳ１Ａから送信されたフレーム（上り）２の優先度を"２"，ＭＳ２Ａから送信されたフレーム（上り）２の優先度を"３"及びＭＳ３Ａから送信されたフレーム（上り）２の優先度を"１"に設定する。
【０１０３】
ＢＳ１Ｂは、設定した優先度とＰＩＤを保存し（ステップＢ６〜Ｂ８のいずれかからステップＢ９）、フレーム（下り）３を送信するタイミングであるか否かを判断する（ステップＢ２のＮＯルート或いはステップＢ９からステップＢ１０）。
ここで、フレーム（下り）３を送信するタイミングであると判断したとき（ステップＢ１０でＹＥＳと判断されたとき）、ＢＳ１Ｂは、送信する応答情報があるか否かを判断する（ステップＢ１０のＹＥＳルートからステップＢ１１）。ＢＳ１Ｂは、送信する応答情報がないと判断したときは、送信する応答情報が有ると判断するまで（ステップＢ１１でＹＥＳと判断するまで）、上記の処理（ステップＢ１〜ステップＢ１１）を繰り返す。
【０１０４】
他方、送信する応答情報があるとき、ＢＳ１Ｂは、設定した優先度に従って、フレーム（下り）３に搭載する応答情報の順番を並び替えて（ステップＢ１１のＹＥＳルートからステップＢ１２）、フレーム（下り）３を送信する（ステップＢ１３）。
例えば、図１１（ａ）に示すように、各ＭＳ１Ａ〜３Ａから送信されたフレーム（上り）２に対する応答情報は、設定された優先度に従って、フレーム（下り）３に搭載される順番が並び替えられて送信される。
【０１０５】
その後、ＢＳ１Ｂは、保存していた優先度やＰＩＤの情報等をクリアし（ステップＢ１４）、再びフレーム（上り）２の受信処理等の処理を行なう（ステップＢ１）。
一方、各ＭＳ１Ａ〜３Ａでは、図８に示す処理が行なわれて、各ＭＳ１Ａ〜３Ａは、図１１（ａ）に示すように、残りのフレーム（上り）２を周期Ｔ２−５内で受信したフレーム（下り）３に応答情報が搭載されている順番で残りのフレーム（上り）２を送信する。
【０１０６】
このように、第１実施形態の第２変形例に係るＣＤＭＡ通信システム１−２によれば、第１実施形態に係るＣＤＭＡ通信システム１と同様の効果が得られる他、ＢＳ１Ｂが、優先順位に従って並び替えられた複数の応答情報を搭載したフレーム（下り）３を各ＭＳ１Ａ〜ｎＡに送信するので、優先度の高い情報（複数フレームを送信する）を送信するＭＳ３Ａのアクセス時間を短縮できる。
（４）第１実施形態の第３変形例の説明
第１実施形態の第３変形例においても、ＢＳ１ＢやＭＳ１Ａ〜ｎＡの機能は、第１実施形態にて説明したものとほぼ同じであるが、この第３変形例に係るＣＤＭＡ通信システム（前記のＣＤＭＡ通信システム１−２と区別するために符号を付する）１−３は、設定された送信タイミング期間内に各ＭＳ１Ａ〜ｎＡが残りのフレーム（上り）２を送信する点で、前述の第１実施形態の第２変形例に係るＣＤＭＡ通信システム１−２と異なる。
【０１０７】
なお、第１実施形態の第３変形例の説明においては、第１実施形態の第２変形例の説明にて記述の符号と同じ符号を付したものは、同一若しくはほぼ同一のものとする。
このため、ＭＳ１Ａ〜ｎＡは、送信したフレーム（上り）２に対する応答情報を受信して、残りのフレーム（上り）２を送信するアクセスタイミングをフレーム（下り）３に応答情報が搭載されている順番に従って、設定されたアクセスタイミング期間内に残りのフレーム（上り）２を送信するようになっている。なお、このフレーム（下り）３に搭載されている応答情報は、ＢＳ１Ｂで、表１に示す優先度に従って並び替えられている。
【０１０８】
例えば、残りのフレーム（上り）２を送信するアクセスタイミング期間は、フレーム（下り）３に搭載されている応答情報の順番に従って、それぞれ異なる周期に設定することができる。残りのフレーム（上り）２を送信するアクセスタイミングは、各周期内の４アクセスタイミングからランダムに選択されるようになっている。
なお、残りのフレーム（上り）２を送信するアクセスタイミングの設定等をＣＰＵ４０（図４参照）が行なうようになっている。
【０１０９】
以下、このような例を前提として、説明を進める。
ここで、図１３（ａ），（ｂ）は、本発明の第１実施形態の第３変形例に係るＣＤＭＡ通信システム１−２の動作を説明するためのタイムチャートであり、ＭＳ１Ａ〜３Ａがフレーム（上り）２を送信した後に、ＭＳ１Ａ，３Ａが継続して残りのフレーム（上り）２を送信する場合を前提に説明をする。
【０１１０】
なお、図１３（ａ），（ｂ）に示すように、各ＭＳ１Ａ，３Ａは、残りのフレーム（上り）２を送信するアクセスタイミグをフレーム（下り）３に応答情報が搭載されている順番に従って、異なる周期Ｔ３−５，Ｔ３−６内で選択して、残りのフレーム（上り）２を送信するようになっている。
上述の如く構成される第１実施形態の第３変形例に係るＣＤＭＡ通信システム１−３によれば、各ＭＳ１Ａ〜３Ａは、ＢＳ１Ｂへフレーム（上り）２を送信する際に、周期内の４アクセスタイミングの何れかをランダムに選択して、フレーム（上り）２を送信する。
【０１１１】
以下、例として、図１３（ｂ）に示すように、周期Ｔ３−１内でＭＳ１Ａ〜３Ａがそれぞれ異なるアクセスタイミング（ｔ−１，ｔ−３，ｔ−４）でフレーム（上り）２を送信した場合を前提にするとともに、図１０のフローチャートを用いて、説明する。
各ＭＳ１Ａ〜３Ａは、フレーム（上り）２を送信後にタイマをスタートさせる（ステップＡ１）。
【０１１２】
一方、ＢＳ１Ｂは、各ＭＳ１Ａ〜３Ａから送信されたフレーム（上り）２の受信を確認すると、各ＭＳ１Ａ〜３Ａに対する応答情報を表１に示す優先順位に従って並び替えて搭載したフレーム（下り）３を送信する。ここで、周期Ｔ３−１内で、ＭＳ１Ａが送信したフレーム（上り）２の継続ビットＷが"１０"，ＭＳ２Ａが送信したフレームの継続ビットが"０１"，ＭＳ３Ａが送信したフレーム（上り）２の継続ビットＷが"００"である場合を例として説明をする。
【０１１３】
このような継続ビットＷを基に、ＢＳ１Ｂは、並び替えを行ない、優先順位に従って、フレーム（上り）２に搭載順を並び替える。ＢＳ１Ｂは、ＭＳ１Ａ，２Ａから送信されたフレーム（上り）２に対する応答情報をフレーム（上り）２を受信した順にフレーム（下り）３に搭載した後に、ＭＳ３Ａから送信されたフレーム（上り）２に対する応答情報を下りフレーム（上り）２に搭載するときは、ＭＳ３Ａからのフレーム（上り）２の優先度が"１"で先にフレーム（下り）３に搭載した応答情報の優先度"２"及び"３"より高いため、ＭＳ１Ａ，２Ａに対する応答情報より前に搭載するように、並び替えを行なう。そして、フレーム（下り）３を送信するタイミング（例えば、図１３（ａ）に示す周期Ｔ３−ｂ）になると、ＢＳ１Ｂは、フレーム（下り）３を送信する。
【０１１４】
次いで、各ＭＳ１Ａ〜３Ａは、周期Ｔ３−３でＢＳ１Ｂから送信されたフレーム（下り）３を受信し（ステップＡ２）、周期Ｔ３−４内で受信したフレーム（下り）３がＡＣＫモード且つ送信したＰＩＤと同一であるか否かを判断する（ステップＡ３）。
ここで、ＢＳ１Ｂから受信したフレーム（下り）３がＡＣＫモードに該当しないときや送信したＰＩＤと一致しないときは、始動したタイマが完了しているか判断し（ステップＡ３のＮＯルートからステップＡ９）、タイマが最大値までカウントアップされていれば、再送処理を行なう（ステップＡ９のＹＥＳルートからステップＡ１０）一方、タイマが完了していなければ、フレームの受信処理に移行する（ステップＡ９のＮＯルートからステップＡ２）。
【０１１５】
なお、タイマは、受信フレーム（下り）３から送信したＰＩＤが検出されると、カウント値をクリアされるようになっている。
他方、送信したＰＩＤと同一であるときは、各ＭＳ１Ａ〜３Ａは、継続して送信する残りのフレーム（上り）２があるか判断し（ステップＡ３のＹＥＳルートからステップＡ４）、残りのフレーム（上り）２がなければ送信完了とする（ステップＡ４のＮＯルートからステップＡ１１）。
【０１１６】
一方、各ＭＳ１Ａ〜３Ａは、残りのフレーム（上り）２があれば、受信したフレーム（下り）３に搭載されている複数の応答情報内で、自分のＰＩＤの位置（順番）を検出して（ステップＡ４のＹＥＳルートからステップＡ５）、検出したＰＩＤの順番に従って、送信可能な周期を設定し（ステップＡ６）、設定された周期内の４アクセスタイミングからいずれかを選択して設定する（ステップＡ７）。
【０１１７】
その後、設定したアクセスタイミングになると、各ＭＳ１Ａ〜３Ａは、残りのフレーム（上り）２をＢＳ１Ｂへ送信する（ステップＡ８）。
図１３（ｂ）に示すように、各ＭＳ１Ａ，３Ａは、周期Ｔ３−４で受信したフレーム（下り）３内に搭載されている自ら送信したフレーム（上り）２に対する応答情報の搭載順〔図９（ａ）参照〕に従って、ＭＳ１Ａは、残りのフレーム（上り）２を周期Ｔ３−６内でランダムに選択したアクセスタイミングｔ−１で送信し、ＭＳ３Ａは、周期Ｔ３−５内でランダムに選択したアクセスタイミングｔ−３で送信する。
【０１１８】
さらに、残りのフレーム（上り）２があれば、上記同様の処理（ステップＡ１〜Ａ８及びステップＡ９〜Ａ１１）が行なわれる。
このように、第１実施形態の第３変形例に係るＣＤＭＡ通信システム１−３によれば、前記の第１実施形態の第２変形例に係るＣＤＭＡ通信システム１−２と同様の効果が得られる他、ＭＳ１Ａ〜３Ａが、残りのフレーム（上り）２を送信するアクセスタイミングが局所的に集まらずに、例えば、異なる周期毎に設定されて、分散されるので、図１３（ｂ）に示すように、周期Ｔ３−５で他のＭＳ６Ａ，７Ａがアクセスするタイミングと衝突することを減少できて、さらにスループットの低下を抑制できる。
（５）第１実施形態の第４変形例の説明
第１実施形態の第４変形例においても、ＢＳ１ＢやＭＳ１Ａ〜ｎＡの機能は、第１実施形態にて説明したものとほぼ同じであるが、この第４変形例に係るＣＤＭＡ通信システム（前記のＣＤＭＡ通信システム１と区別するために符号を付する）１−４は、フレーム（上り）２を送信するＭＳ１Ａ〜ｎＡが、ランダムアクセスを開始する前に、フレーム（下り）３を受信したときには、受信したフレーム（下り）３内に搭載されている応答情報の数分だけ送信タイミングをずらして、ＢＳ１Ｂへランダムアクセスを行なう点で、第１実施形態に係るＣＤＭＡ通信システム１と異なる。
【０１１９】
なお、第１実施形態にて記述の符号と同じ符号を付したものは、同一若しくはほぼ同一のものとする。
このため、ＭＳ１Ａ〜ｎＡは、フレーム（上り）２を送信するに際して、ＢＳ１Ｂから送信される信号を受信して、フレーム（下り）３であるか判断し、フレーム（下り）３である場合には、そのフレーム（下り）３に搭載されている応答情報の数分だけ送信タイミングをずらして、ＢＳ１Ｂへフレーム（上り）２を送信するようになっている。
【０１２０】
また、ＣＰＵ４０（図４参照）が、受信したフレーム（下り）３等を基に最初のフレーム（上り）２を送信する時のランダムアクセスのタイミングの設定等を行なうようになっている。
以下、図１４（ａ），（ｂ）のタイムチャートと図１５を用いて、上述の如く構成された第１実施形態に係る第４変形例に係るＣＤＭＡ通信システム１−６の動作を説明する。
【０１２１】
なお、例として、図１４（ｂ）に示す周期Ｔ４−１内で、各ＭＳ１Ａ〜３Ａが、それぞれ異なるアクセスタイミング（ｔ−１，ｔ−３，ｔ−４）でフレーム（上り）２を送信し、ＢＳ１Ｂが、各ＭＳ１Ａ〜３Ａに対する応答情報を搭載したフレーム（下り）３を周期Ｔ４−ｂで送信した場合を前提に説明をする他、他の周期Ｔ４−２でＭＳ６Ａがランダムアクセス発生が有る場合を前提に説明をする。
【０１２２】
ＭＳ６Ａは、周期Ｔ４−２でランダムアクセス処理の発生があると（ステップＣ１）、先ずＢＳ１Ｂから送信されたフレームを受信する（ステップＣ２）。
そして、ＭＳ１Ａは、受信したフレームのＣＲＣチェックを行なって、ＣＲＣチェックが正常であるか判断するとともに、受信したフレームがＡＣＫモードであるかを判断する（ステップＣ３）。
【０１２３】
ここで、受信したフレームのＣＲＣのチェックが正常でないときや、受信したフレーム（下り）がＡＣＫモードに該当しないとき、ＭＳ６Ａは、ランダムアクセスを開始する（ステップＣ３のＮＯルートからステップＣ６）。一方、ＭＳ６Ａは、ＣＲＣチェックが正常且つ受信フレームがＡＣＫモードであるとき（フレーム（下り）３であるとき）は、受信したフレーム（下り）３からＡＣＫ搭載数を検出し（ステップＣ３のＹＥＳルートからステップＣ４）、ＡＣＫ搭載数分だけ送信タイミングを遅延するように送信タイミングを設定する（ステップＣ５）。そして、ＭＳ６Ａは、設定された送信タイミングになると、ランダムアクセスを開始する（ステップＣ６）。
【０１２４】
ＭＳ６Ａは、図１４（ｂ）に示す周期Ｔ４−３でフレーム（下り）３を受信して（ステップＣ２）、受信内容の確認等の処理（ステップＣ３，４）を周期Ｔ４−４内で行ない、フレーム（下り）３に搭載されているＡＣＫ搭載数が"３"であることから、ランダムアクセスを周期Ｔ４−５内でＡＣＫ搭載数"３"分（図１４（ｂ）中にＴ４ｄと表記）遅延させてＴ４ｓのタイミングから開始するようになっている。即ち、ＭＳ６Ａは、Ｔ４Ｓのタイミング以降のタイミングのいずれかをランダムに選択して、フレーム（上り）２をＢＳ１Ｂへ送信する。
【０１２５】
このように、第１実施形態の第４変形例に係るＣＤＭＡ通信システム１−４によれば、前記の第１実施形態の説明で述べた他、ＭＳ６Ａが、基地局に初めてランダムアクセスを行なう前に、ＢＳ１Ｂからフレームを受信するとともに、受信したフレーム（上り）２内に搭載されている応答情報の数分だけ送信タイミングをずらして、ＢＳ１Ｂへランダムアクセスを行なうので、初めてＢＳ１ＢへアクセスするＭＳ６Ａと、残りのフレーム（上り）２を送信するＭＳ１Ａ，ＭＳ２Ａとの間の衝突をも減少でき、さらにシステムのスループットの低下を抑制できる。
（６）第１実施形態の第５変形例の説明
第１実施形態の第５変形例においても、ＢＳ１ＢやＭＳ１Ａ〜ｎＡの機能は、第１実施形態にて説明したものとほぼ同じであるが、この第５変形例に係るＣＤＭＡ通信システム（前記のＣＤＭＡ通信システム１と区別するために符号を付する）１−５は、所定の優先順位に従って並び替えられた応答情報とともに、継続してフレーム（上り）２を送信するＭＳの数を示す第２ＡＣＫ情報をフレーム（下り）３に搭載してＢＳ１Ｂから各ＭＳ１Ａ〜ｎＡへ送信する他、フレーム（上り）２を送信するＭＳ１Ａ〜ｎＡが、ランダムアクセスを開始する前に、フレーム（下り）３を受信したときには、受信したフレーム（下り）３内に搭載されている第２ＡＣＫ情報が示すＡＣＫの搭載数分だけ送信タイミングをずらして、ＢＳ１Ｂへランダムアクセスを行なう点を異で、第１実施形態に係るＣＤＭＡ通信システム１と異なる。
【０１２６】
なお、第１実施形態にて記述の符号と同じ符号を付したものは、同一若しくはほぼ同一のものとする。
このため、ＢＳ１Ｂは、各ＭＳ１Ａ〜ｎＡから送信されたフレーム（上り）２内に搭載されている継続ビットＷ〔図３（ｂ）参照〕に基づき、フレーム（下り）３に搭載する応答情報の順番を並び替えるとともに、フレーム（下り）３に搭載する継続してフレーム（上り）２を送信するＭＳの数を示す第２ＡＣＫ情報を応答情報とともにフレーム（下り）３に搭載して送信するようになっている。
【０１２７】
なお、図３（ａ）に示すＡＣＫフォーマットにおいて、"ＮＡ"を第２ＡＣＫ情報"Ｎ"に代えてフレーム（下り）３を構成することができる。
以下、例として、ＢＳ１Ｂが"ＮＡ"を第２ＡＣＫ情報"Ｎ"に代えたフレーム（下り）３を送信する場合を前提に説明をする。
また、ＣＰＵ４０−１（図５参照）が、フレーム（下り）３に搭載する第２ＡＣＫ情報等を受信したフレーム（上り）２内の継続ビットＷ〔図３（ｂ）参照〕に基づき、所望のものを搭載するようになっている。
【０１２８】
例えば、各ＭＳ１Ａ〜ｎＡから送信したフレーム（上り）２内に搭載されている継続ビットＷが、前記表１に示すビット構成の場合に、ＢＳ１Ｂは、継続ビットＷ"００"，"１
０"のフレーム（上り）２の優先度を"１"に設定するとともに継続して送信するフレーム
の数"Ｎ"のカウントアップを行なう他、継続ビットＷ"０１"，"１１"のフレーム（上り）２の優先度を"３"に設定して、優先度に従ってフレーム（下り）３に搭載する応答情報の順番を並び替えるようになっている。
【０１２９】
また、ＭＳ１Ａ〜ｎＡは、フレーム（上り）２を送信するに際して、ＢＳ１Ｂから送信される信号を受信して、フレーム（下り）３であるか判断し、フレーム（下り）３である場合には、そのフレーム（下り）３に搭載されている応答情報の数分だけ送信タイミングをずらして、ＢＳ１Ｂへフレーム（上り）２を送信するようになっている。
なお、ＣＰＵ４０（図４参照）が、受信したフレーム（下り）３を基に、最初に送信するフレーム（上り）２を送信するタイミング等の設定を行なうようになっている。
【０１３０】
以下、図１６（ａ），（ｂ）のタイムチャートと図１７及び図１８を用いて、上述の如く構成された第１実施形態に係る第５変形例に係るＣＤＭＡ通信システム１−５の動作を説明をする。
なお、例として、図１６（ｂ）に示す周期Ｔ５−１内で、各ＭＳ１Ａ〜３Ａが、それぞれ異なるアクセスタイミング（ｔ−１，ｔ−３，ｔ−４）で送信し、ＢＳ１Ｂが、各ＭＳ１Ａ〜３Ａに対する応答情報を搭載したフレーム（下り）３を周期Ｔ５−ｂで送信した場合を前提に説明をする他、他の周期Ｔ５−２でＭＳ６Ａがランダムアクセス発生が有る場合を前提に説明をする。
【０１３１】
図１８に示すように、ＢＳ１Ｂは、フレーム（下り）３の送信処理を開始する（ステップＤ１）と、残りのフレーム（上り）２を送信するＭＳの数"Ｎ"（第２ＡＣＫ情報）を"
０"にクリアする（ステップＤ２）。
そして、ＢＳ１Ｂは、各ＭＳ１Ａ〜ｎＡから送信されたフレームを受信すると（ステップＤ３）、ＣＲＣチェックを行なってＣＲＣチェック結果が正常であるかを判断し（ステップＤ４）、チェック結果が正常でないときは、フレーム（下り）３を送信するタイミングであるかを更に判断する（ステップＤ４のＮＯルートからステップＤ１１）。
【０１３２】
一方、ＢＳ１Ｂは、ＣＲＣチェック結果が正常であるときは、受信したフレーム（上り）２から継続ビットＷを検出し（ステップＤ４のＹＥＳルートからステップＤ５）、さらに継続して受信するフレーム（上り）２があるかを判断する（ステップＤ６）。
ここで、継続して受信するフレーム（上り）２がないと判断したとき、ＢＳ１Ｂは、優先度を"３"に設定する（ステップＤ６のＮＯルートからステップＤ９）一方、継続して受信するフレーム（上り）２が有ると判断したときは、残りのフレーム（上り）２を送信するＭＳの数（Ｎ）をカウントアップするとともに（ステップＤ６のＹＥＳルートからステップＤ７）優先度を"１"に設定して（ステップＤ８）、優先度とＰＩＤを保存する（ステップＤ８或いはステップＤ９からステップＤ１０）。
【０１３３】
例えば、周期Ｔ５−１内でＭＳ１Ａが送信したフレーム（上り）２の継続ビットＷが"
００"で、ＭＳ２Ａが送信したフレーム（上り）２の継続ビットＷが"１０"であり、ＭＳ
３Ａが送信したフレーム（上り）２の継続ビットＷが"１１"のときは、第２ＡＣＫ情報"
Ｎ"を"２"とカウントし、各フレーム（上り）２の優先度とともに保存する。
次いで、ＢＳ１Ｂは、フレーム（下り）３を送信するタイミングであるかを判断し（ステップＤ４のＮＯルート或いはステップＤ１０からステップＤ１１）、送信タイミングでなければ送信タイミングに至るまで（ステップＤ１１でＹＥＳと判断されるまで）上記の処理を繰り返す（ステップＤ１１のＮＯルートからステップＤ３）。
【０１３４】
一方、ＢＳ１Ｂは、送信タイミングと判断したときは、送信する応答情報があるかを判断し（ステップＤ１１のＹＥＳルートからステップＤ１２）、送信する応答情報がなければ、送信する応答情報が有ると判断されるまで（ステップＤ１２でＹＥＳと判断されるまで）上記の処理を繰り返す（ステップＤ１２のＮＯルートからステップＤ３）一方、送信する応答情報があれば優先度の高いＰＩＤから順に並び替えて、第２ＡＣＫ情報（Ｎ）とともに、フレーム（下り）３に搭載して（ステップＤ１２のＹＥＳルートからステップＤ１３）送信する（ステップＤ１４）。フレーム（下り）３を送信後、ＢＳ１Ｂは、保存している優先度等の情報をクリアする（ステップＤ１５）。
【０１３５】
例えば、ＭＳ１Ａ〜３Ａが送信したフレーム（上り）２に対する応答情報は、図１６（ａ）に示すように、優先度の高いものから順に並び替えられて、第２ＡＣＫ情報"Ｎ"とともに、周期Ｔ５−ｂで送信される。
一方、図１７に示すように、ＭＳ６Ａは、周期Ｔ５−２でランダムアクセス処理の発生があると（ステップＥ１）、先ずＢＳ１Ｂから送信されたフレームを受信する（ステップＥ２）。
【０１３６】
そして、ＭＳ６Ａは、受信したフレームのＣＲＣチェックを行なって、ＣＲＣチェックが正常であるか判断するとともに、受信したフレームがＡＣＫモードであるかを判断する（ステップＥ３）。
ここで、受信したフレームのＣＲＣのチェックが正常でないときや、受信したフレーム（下り）がＡＣＫモードに該当しないとき、ＭＳ６Ａは、ランダムアクセスを開始する（ステップＥ３のＮＯルートからステップＥ６）。
【０１３７】
一方、ＭＳ６Ａは、ＣＲＣチェックが正常且つ受信フレームがＡＣＫモードであるとき（フレーム（下り）３であるとき）は、受信したフレーム（下り）３から第２ＡＣＫ情報"Ｎ"を検出し（ステップＥ３のＹＥＳルートからステップＥ４）し、第２ＡＣＫ情報"Ｎ"分だけ送信タイミングを遅延するように送信タイミングを設定する（ステップＥ５）。そして、ＭＳ６Ａは、設定された送信タイミングになると、ランダムアクセスを開始する（ステップＥ６）。
【０１３８】
ＭＳ６Ａは、図１６（ｂ）に示す周期Ｔ５−３でフレーム（下り）３を受信して（ステップＥ２）、受信内容の確認等の処理（ステップＥ３，Ｅ４）を周期Ｔ５−４内で行ない、フレーム（下り）３に搭載されている第２ＡＣＫ情報"Ｎ"が"２"であることから、ランダムアクセスを周期Ｔ５−５内で第２ＡＣＫ情報"Ｎ"分（図１６（ｂ）中にＴ５ｄと表記）遅延させてＴ５ｓのタイミングから開始するようになっている。
【０１３９】
即ち、ＭＳ６Ａは、Ｔ５Ｓのタイミング以降のタイミングのいずれかをランダムに選択して、フレーム（上り）２をＢＳ１Ｂへ送信する。
このように第１実施形態の第５変形例に係るＣＤＭＡ通信システム１−５によれば、第１実施形態に係るＣＤＭＡ通信システム１と同様の効果が得られる他、ＢＳ１Ｂが所定の優先順位に従って並び替えられた応答情報を搭載したフレーム（下り）３をＭＳ１Ａ〜３Ａに送信するので、優先度の高い情報（複数フレームを送信する）を送信するＭＳ１Ａ等のアクセス時間を短縮できる。
【０１４０】
さらに、ＢＳ１Ｂが、応答情報と共に、残り情報を送信するＭＳの数を示す第２ＡＣＫ情報"Ｎ"をフレーム（下り）３に搭載してＭＳ１Ａ〜ｎＡに送信し、ＭＳ６Ａ等が、ＢＳ１Ｂへ初めてランダムアクセスを行なう前に、フレーム（下り）３を受信するとともに、受信したフレーム（下り）３内に搭載されている第２ＡＣＫ情報"Ｎ"の数分だけ送信タイミングをずらして、ＢＳ１Ｂへランダムアクセスを行なうので、初めてＢＳ１ＢへアクセスするＭＳ６Ａと、継続してフレーム（上り）２を送信するＭＳ１Ａ，２Ａとの間の衝突をもなくすことができるので、さらにスループットの低下を抑制できる。
【０１４１】
（７）第１実施形態の第６変形例の説明
第１実施形態の第６変形例においても、ＢＳ１ＢやＭＳ１Ａ〜ｎＡの機能は、第１実施形態にて説明したものとほぼ同じであるが、この第６変形例に係るＣＤＭＡ通信システム（前記のＣＤＭＡ通信システム１−２と区別するために符号を付する）１−６は、優先順位に従って並び替えた複数応答情報のうち継続してフレーム（上り）２を送信するＭＳへの応答情報の数"Ｍ（Ｍ：１以上の整数）が１周期内でのアクセスできる最大数４を超え
るときは、超える応答情報を次に送信するフレーム（下り）３に搭載して送信する点で、第１実施形態の第２変形例に係るＣＤＭＡ通信システム１−２と異なる。
【０１４２】
なお、第１実施形態の第２変形例の説明にて記述の符号と同じ符号を付したものは、同一若しくはほぼ同一のものとする。
このため、ＢＳ１Ｂは、各ＭＳ１Ａ〜ｎＡからフレーム（上り）２に対する応答情報を所定の優先順位に従って優先度を決めるとともに、継続してフレーム（上り）２を送信するＭＳに対する応答情報の数"Ｍ"をカウントし、カウントした"Ｍ"が"４"を超えたときには、超えた分の応答情報を次のフレーム（下り）３に搭載して送信するものである。
【０１４３】
例えば、各ＭＳ１Ａ〜ｎＡから送信したフレーム（上り）２内に搭載されている継続ビットＷが、前記表１に示すビット構成の場合に、ＢＳ１Ｂは、継続ビットＷ"００"，"１
０"のフレーム（上り）２の優先度を"１"に設定するとともに継続してフレーム（上り）
２を送信するＭＳの数"Ｍ"のカウントアップを行なう他、継続ビットＷ"０１"，"１１"のフレーム（上り）２の優先度を"３"に設定して、優先度に従ってフレーム（下り）３に搭載する応答情報の順番を並び替えるようになっている。
【０１４４】
なお、ＣＰＵ４０−１（図５参照）が、このような優先順位に従った応答情報の並び替えを行なうようになっている。
以下、図１９（ａ），（ｂ）のタイムチャートと図２０を用いて、第１実施形態に係る第６変形例に係るＣＤＭＡ通信システム１−６の動作を説明をする。
上述の如く構成された、第１実施形態に係る第６変形例に係るＣＤＭＡ通信システム１−６によれば、各ＭＳ１Ａ〜ｎＡは、フレーム（上り）２を送信する際に、周期内の４アクセスタイミングからいずれかを選択して、選択したタイミングでフレーム（上り）２を送信する。
【０１４５】
以下、図１９（ｂ）に示す周期Ｔ６−１，Ｔ６−２で、各ＭＳ１Ａ〜７Ａが、それぞれ異なるアクセスタイミングでフレーム（上り）２を送信し、ＭＳ１Ａ，２Ａ，４Ａ，５Ａ，７Ａが送信したフレーム（上り）２の継続ビットＷが"１０"及びＭＳ３Ａ，６Ａが送信したフレーム（上り）２の継続ビットＷが"１１"の場合を前提とする他、ＢＳ１Ｂは、各ＭＳ１Ａ〜７Ａから出力されたフレーム（上り）２をそれぞれ受信して、応答情報を同じフレーム（下り）３に搭載して送信する処理を行なう際を前提に説明をする。
【０１４６】
ＢＳ１Ｂは、フレーム（下り）３送信処理を開始後（ステップＦ１）、継続してフレーム（上り）２を送信するＭＳの数"Ｍ"を"０＋ｍ"に更新し（ステップＦ２）、フレーム（上り）２を受信すると（ステップＦ３）、ＣＲＣチェックを行ないチェック結果が正常であるか判断する（ステップＦ４）。
ここで、ＢＳ１Ｂは、チェック結果が正常でなければ、フレーム（下り）３を送信するタイミングか判断する（ステップＦ４のＮＯルートからステップＦ１１）。
【０１４７】
一方、ＢＳ１Ｂは、ＣＲＣチェック結果が正常であれば、継続ビットＷを検出し（ステップＦ４のＹＥＳルートからステップＦ５）、検出した継続ビットＷを基に、継続して受信するフレーム（上り）２があるかを判断する（ステップＦ６）。
ここで、継続して受信するフレーム（上り）２がないと判断したとき、ＢＳ１Ｂは、優先度を"３"に設定する（ステップＦ６のＮＯルートからステップＦ９）一方、継続して受信するフレーム（上り）２が有ると判断したときは、継続してフレーム（上り）２を送信するＭＳの数"Ｍ"をカウントアップするとともに（ステップＦ６のＹＥＳルートからステップＦ７）優先度を"１"に設定して（ステップＦ８）、優先度とＰＩＤを保存する（ステップＦ８或いはステップＦ９からステップＦ１０）。
【０１４８】
例えば、周期Ｔ６−１，周期Ｔ６−２内でＭＳ１Ａ，２Ａ，４Ａ，５Ａ，７Ａが送信したフレーム（上り）２の継続ビットＷが"１０"であることから、ＢＳ１Ｂは、ＭＳ７Ａが送信したフレーム（上り）２に対する応答情報を搭載する処理を行なうに際して継続してフレーム（上り）２を送信するＭＳの数"Ｍ"を"５"とカウントする。
次いで、ＢＳ１Ｂは、フレーム（下り）３を送信するタイミングであるかを判断し（ステップＦ４のＮＯルート或いはステップＦ１０からステップＦ１１）、送信タイミングでなければ送信タイミングに至るまで（ステップＦ１１でＹＥＳと判断されるまで）上記の処理を繰り返す（ステップＦ１１のＮＯルートからステップＦ３）。
【０１４９】
一方、ＢＳ１Ｂは、送信タイミングと判断したときは、送信する応答情報があるかを判断し（ステップＦ１１のＹＥＳルートからステップＦ１２）、送信する応答情報がなければ、送信する応答情報が有ると判断されるまで（ステップＦ１２でＹＥＳと判断されるまで）上記の処理を繰り返す（ステップＦ１２のＮＯルートからステップＦ３）一方、送信する応答情報があれば、継続してフレーム（上り）２を送信するＭＳの数"Ｍ"が"４"を超えているか判断する（ステップＦ１２のＹＥＳルートからステップＦ１３）。
【０１５０】
ここで、継続してフレーム（上り）２を送信するＭＳの数"Ｍ"が"４"を超えていないとき、ＢＳ１Ｂは、優先度の高い順に応答情報を並びかえて現送信用のフレーム（下り）３に搭載する（ステップＦ１３のＮＯルートからステップＦ１５）一方、"４"を超えているときは、現送信用のＰＩＤ等とは別に"４"を超える分の応答情報を次のフレーム（下り）３に搭載するために"ｍ（ｍ＝Ｍ−４）"とともに保存して（ステップＦ１３のＹＥＳルートからステップＦ１４）、これから送信する現送信用のフレーム（下り）３に優先度の高い順に応答情報を搭載する（ステップＦ１４からステップＦ１５）。
【０１５１】
そして、ＢＳ１Ｂは、フレーム（下り）３を送信し（ステップＦ１６）、現送信のために保存していたものをクリアする（ステップＦ１７）。なお、フレーム（下り）３を送信後、ＢＳ１Ｂは、継続してフレーム（上り）２を送信するＭＳの数"Ｍ"を"０＋ｍ"に更新する等同様の処理を行なう（ステップＦ１７からステップＦ２）。
例えば、ＭＳ１Ａ〜７Ａが送信したフレーム（上り）２に対する送信処理に際して、継続してフレーム（上り）２を送信するＭＳの数"Ｍ"が"４"を超える分に相当するＭＳ７Ａに対する応答情報は、図１９中のタイミングＴ６−ｂ１で送信するフレーム（下り）３に搭載されずに、別に保持され、次のタイミングＴ６−ｂ２で送信するフレーム（下り）３に搭載されて送信される。
【０１５２】
また、ＢＳ１Ｂは、タイミングＴ６−ｂ１でフレーム（下り）３を送信後、継続してフレーム（上り）２を送信するＭＳの数"５"を"１"に更新し（ステップＦ１７からステップＦ２）、フレーム（上り）２を受信すると上記と同様の処理を行なう（ステップＦ３〜Ｆ１０）。
次いで、ＢＳ１Ｂは、所望の送信タイミングになる（ステップＦ１１でＹＥＳと判断される）と、継続してフレーム（上り）２を送信するＭＳの数"Ｍ"を基に、ＭＳ７Ａが送信したフレーム（上り）２等に対する応答情報をフレーム（下り）３に搭載する数を判断し（ステップＦ１３，Ｆ１４）、優先度に従った順番にフレーム（下り）３に搭載して送信する（ステップＦ１５〜ステップ１７）。
【０１５３】
一方、図１９（ａ）中のタイミングＴ６−ｂ１で送信されたフレーム（下り）３を受信したＭＳ１Ａ，２Ａ，４Ａ，５Ａは、継続してフレームを送信する際に、ＢＳ１Ｂで優先度に従って並び替えられた応答情報の順番で図１９（ｂ）中の周期Ｔ６−６内でフレーム（上り）２を継続して送信する。また、ＭＳ７Ａは、図１９（ａ）中のタイミングＴ６−ｂ２で送信されたフレーム（下り）３を受信して、図１９（ｂ）中の周期Ｔ６−６内でＢＳ１Ｂで優先度に従って並び替えられた応答情報の順番でフレーム（上り）２を継続して送信する。
【０１５４】
このように、第１実施形態の第６変形例に係るＣＤＭＡ通信システム１−６によれば、第２変形例に係るＣＤＭＡ通信システム１−２と同様の効果が得られる他、ＢＳ１Ｂが、継続してフレーム（上り）２に送信するＭＳに対する応答情報の数"Ｍ"が"４"を超えたときには、"４"を超えた分の応答情報を図１９（ａ）中のタイミングＴ６−ｂ２で送信されるので、フレーム（下り）３内に継続してフレーム（下り）３を送信するＭＳに対する応答情報の数が１周期でのアクセスタイミング数を超えて搭載されて、図１９（ａ）中のタイミングＴ６−ｂ１で送信され、その次のタイミングで継続してフレーム（上り）２を送信するＭＳに対する応答情報を搭載されたフレーム（下り）３が送信された場合等に、図１９（ｂ）の周期Ｔ６−７のタイミングＴ６ｃで、継続してフレームを送信するＭＳのアクセスの衝突の発生を回避できて、更にスループットの低下を抑制できる。
【０１５５】
（８）第１実施形態の第７変形例の説明
第１実施形態の第７変形例においても、ＢＳ１ＢやＭＳ１Ａ〜ｎＡの機能は、第１実施形態にて説明したものとほぼ同じであるが、この第７変形例に係るＣＤＭＡ通信システム（前記のＣＤＭＡ通信システム１と区別するために符号を付する）１−７は、２つの体系の拡散コードを用いてスペクトル拡散した信号をＢＳ１ＢとＭＳ１Ａ〜ｎＡとの間で送信／受信する点で、第１実施形態のＣＤＭＡ通信システム１と異なる。なお、第１実施形態の説明にて記述の符号と同じ符号を付したものは、同一若しくはほぼ同一のものとする。
【０１５６】
このため、各端末ＭＳ１Ａ〜ｎＡは、それぞれ、２種の拡散コード（♯１，♯２）のいずれかを用いるようになっているとともに、フレーム（下り）３内の自己が使用する拡散コード（♯１又は♯２）に搭載されている応答情報の順に継続して残りのフレーム（上り）２を送信するようになっている。
また、各端末ＭＳ１Ａ〜ｎＡは、ＢＳ１Ｂから受信したフレーム（下り）３に搭載されている後述する拡散コード♯１を用いた信号を送信したＭＳに対する応答情報の数情報（以下、「第３ＡＣＫ情報」と言う）"Ｌ"を基に、自己が、残りのフレーム（上り）２を送信する順番を判断するようになっている。具体的には、ＣＰＵ４０（図４参照）が、上記のような判断を行なうようになっている。
【０１５７】
なお、例として、以下、ＭＳ１Ａ，４Ａが、拡散コード♯１を用いてスペクトル拡散した信号を送信する他、ＭＳ２Ａ，３Ａ，５Ａが、拡散コード♯２を用いてスペクトル拡散した信号を送信する場合を前提に説明をする。即ち、ＭＳ１Ａ，４Ａは、２種の異なる拡散コード♯１，♯２の内の一方の拡散コード♯１を用いてスペクトル拡散された信号をＢＳ１Ｂへ送信する第１端末装置を構成し、ＭＳ２Ａ，３Ａ，５Ａは、２種の異なる拡散コード♯１，♯２の内の他方の拡散コード♯２を用いてスペクトル拡散された信号をＢＳ１Ｂへ送信する第２端末装置を構成する。
【０１５８】
また、ＢＳ１Ｂは、各拡散コード♯１，♯２別に応答情報をフレーム（下り）３に搭載するとともに第３ＡＣＫ情報"Ｌ"をフレーム（下り）３に搭載して送信するものである。
なお、例えば、図３（ａ）に示すＡＣＫフォーマットにおいて、"ＮＡ"を第３ＡＣＫ情報"Ｌ"に代えてフレーム（下り）３を構成することができる。
また、ＢＳ１Ｂは、各拡散コード♯１，♯２によりスペクトル拡散された信号を受信して、所望の位相の拡散コード♯１，♯２を用いて逆拡散の処理を行なうため、拡散コード♯１，♯２毎に複数の逆拡散部１６−１〜１６−４を備えて構成されている点で、前記の受信部１０−１（図５）と異なる。
【０１５９】
以下、例として、ＢＳ１Ｂが"ＮＡ"を第３ＡＣＫ情報"Ｌ"に代えたフレーム（下り）３を送信する場合を前提に説明をする。
このため、ＢＳ１Ｂは、各拡散コード♯１，♯２を用いて送信したフレーム（上り）２に対する応答情報をフレーム（下り）３に搭載するに当たり、各拡散コード♯１，♯２別に応答情報の数"Ｌ"，"Ｐ"をカウントして保持するようになっている。
【０１６０】
なお、上記の各拡散コード♯１，♯２別のカウントや、フレーム（下り）３へ搭載する処理は、ＣＰＵ４０−１（図５参照）が行なうようになっている。
以下、図２１（ａ），（ｂ）のタイムチャートと図２２，図２３を用いて、第１実施形態に係る第７変形例に係るＣＤＭＡ通信システム１−７の動作を説明をする。
上述の如く構成された、第１実施形態に係る第７変形例に係るＣＤＭＡ通信システム１−７によれば、各ＭＳ１Ａ〜ｎＡは、フレーム（上り）２を送信する際に、周期内の４アクセスタイミングからいずれかを選択して、選択したタイミングでフレーム（上り）２を送信する。
【０１６１】
以下、図２１（ｂ）に示す周期Ｔ７−１で、各ＭＳ１Ａ，４Ａが、それぞれ異なるアクセスタイミングで位相のずれた拡散コード♯１を用いてフレーム（上り）２を送信する他、ＭＳ２Ａ，３Ａ，５Ａが、それぞれ異なるアクセスタイミングで位相のずれた拡散コード♯２を用いてフレーム（上り）２を送信し、並びに、ＢＳ１Ｂが、各ＭＳ１Ａ〜５Ａから出力されたフレーム（上り）２をそれぞれ受信して、各応答情報を同じフレーム（下り）３に搭載して送信する処理を行なう事を前提に説明をする。
【０１６２】
各ＭＳ１Ａ〜５Ａは、フレーム（上り）２を送信（図２２中ステップＧ１）後にタイマをスタートさせる（ステップＧ２）。
一方、図２３に示すように、ＢＳ１Ｂは、フレーム（下り）３の送信処理を開始（ステップＨ１）後、"Ｌ"，"Ｐ"のカウント値をクリアする（ステップＨ２）。
ＢＳ１Ｂは、拡散コード♯１のフレーム（上り）２を受信すると（ステップＨ３）、ＣＲＣチェックを行なって、チェック結果が正常であるかを判断する（ステップＨ４）。
【０１６３】
ここで、受信したフレーム（上り）２のＣＲＣチェック結果が正常でないとき、ＢＳ１Ｂは、応答情報を送信するタイミングか判断する（ステップＨ４のＮＯルートからステップＨ１１）一方、拡散コード♯１を用いた信号を送信したＭＳに対する応答情報の数情報"Ｌ"（第３ＡＣＫ情報）をカウントアップする（ステップＨ４のＹＥＳルートからステップＨ５）とともに、ＰＩＤを拡散コード♯１用に保存して（ステップＨ６）、応答情報を送信するタミングであるか判断する（ステップＨ１１）。
【０１６４】
他方、拡散コード♯２のフレーム（上り）２を受信したときも（ステップＨ７）、ＢＳ１Ｂは、ＣＲＣチェックを行なって、チェック結果が正常であるかを判断する（ステップＨ８）。
ここでも、受信したフレーム（上り）２のＣＲＣチェック結果が正常でないとき、ＢＳ１Ｂは、応答情報を送信するタイミングか判断する（ステップＨ８のＮＯルートからステップＨ１１）一方、拡散コード♯２を用いた信号を送信したＭＳに対する応答情報の数情報"Ｐ"をカウントアップする（ステップＨ８のＹＥＳルートからステップＨ９）とともに、ＰＩＤを拡散コード♯２用に保存して（ステップＨ１０）、応答情報を送信するタミングであるか判断する（ステップＨ１１）。
【０１６５】
次いで、ＢＳ１Ｂは、応答情報を送信するタイミングに該当しないときは、応答情報を送信するタイミングで判断するまで（ステップＨ１１でＹＥＳと判断されるまで）、上記の処理を繰り返す（ステップＨ３〜Ｈ６或いはステップＨ７〜Ｈ１０）。
応答情報を送信するタイミングであるとき、ＢＳ１Ｂは、"Ｌ"或いは"Ｐ"のカウント値が"０"より大きいかを判断し（ステップＨ１１のＹＥＳルートからステップＨ１２）、"
Ｌ"及び"Ｐ"のカウントがそれぞれ"０"のときは、上記の処理を繰り返す（ステップＨ１
２のＮＯルートからステップＨ３或いはＨ７）。
【０１６６】
"Ｌ"又は"Ｐ"のカウントが"０"より大きいとき、ＢＳ１Ｂは、コード♯１用の応答情報を先頭にして並べ（ステップＨ１２のＹＥＳルートからステップＨ１３）、次いで、コード♯２用の応答情報を続けて並べる（ステップＨ１４）と共に、第３ＡＣＫ情報"Ｌ"もフレーム（下り）３に搭載する（ステップＨ１５）。
その後、ＢＳ１Ｂは、フレーム（下り）３を送信し（ステップＨ１６）、フレーム（下り）３に応答情報等を搭載するに用いたものをクリアする（ステップＨ１７）。
【０１６７】
以後、ＢＳ１Ｂは、フレーム（上り）２を受信する毎に、上記の処理を行なう（ステップＨ１７からステップＨ２）。
例えば、ＢＳ１Ｂは、図２１（ａ）中に示すように、各ＭＳ１Ａ〜５Ａへの応答情報をフレーム（下り）３に搭載するにあたり、拡散コード♯１を用いた信号を送信したＭＳ１Ａ，４Ａに対する応答情報を先頭にして、次いで拡散コード♯２を用いた信号を送信したＭＳ２Ａ，３Ａ，５Ａに対する応答情報を拡散コード別に順番に並べてフレーム（下り）３に搭載する他、拡散コード♯１を用いた信号を送信したＭＳ１Ａ，４Ａに対する応答情報の数を示す第３ＡＣＫ情報"Ｌ（＝２）"も搭載して、所望の送信タイミングになると（例えば、図２１（ａ）中のタイミングＴ７−ｂ）、フレーム（下り）３を送信する。
【０１６８】
一方、各ＭＳ１Ａ〜５Ａは、周期Ｔ７−ｂでＢＳ１Ｂから送信されたフレーム（下り）３を受信し（ステップＧ３）、周期Ｔ７−４内で受信フレーム（下り）３がＡＣＫモード且つ送信したＰＩＤと同一であるか否かを判断する（ステップＧ４）。
ここで、ＢＳ１Ｂから受信したフレームがＡＣＫモードに該当しないときや送信したＰＩＤと一致しないときは、始動したタイマが完了しているか判断し（ステップＧ４のＮＯルートからステップＧ５）、タイマが最大値までカウントアップされていれば、再送処理を行なう（ステップＧ５のＹＥＳルートからステップＧ６）一方、タイマが完了していなければ、フレームの受信処理に移行する（ステップＧ５のＮＯルートからステップＧ３）。
【０１６９】
なお、タイマは、受信フレーム（下り）３から送信したＰＩＤが検出されると、カウント値をクリアされるようになっている。
他方、送信したＰＩＤと同一であるときは、各ＭＳ１Ａ〜５Ａは、継続して送信する残りのフレーム（上り）２があるか判断し（ステップＧ４のＹＥＳルートからステップＧ７）、残りのフレーム（上り）２がなければ送信完了とする（ステップＧ７のＮＯルートからステップＧ１３）。
【０１７０】
一方、各ＭＳ１Ａ〜５Ａは、残りのフレーム（上り）２があれば、受信したフレーム（下り）３に搭載されている複数の応答情報内で、自分のＰＩＤの位置（順番）と第３ＡＣＫ情報"Ｌ"を検出する（ステップＧ７のＹＥＳルートからステップＧ８）。
次いで、各ＭＳ１Ａ〜５Ａは、自身がコード♯１を用いて送信したのか判断し（ステップＧ９）、コード♯１を用いてフレーム（上り）２を送信した場合は、フレーム（下り）３に自身の応答情報が搭載されている順番を継続して送信する残りのフレーム（上り）２を送信するタイミングに設定する（ステップＧ９のＹＥＳルートからステップＧ１０）。
【０１７１】
一方、自身がコード♯２を用いて送信した場合、例えば、ＭＳ２Ａ，３Ａ，５Ａは、第３ＡＣＫ情報"Ｌ"を用いて、継続して送信する残りのフレーム（上り）２を送信するタイミングに設定する（ステップＧ９のＮＯルートからステップＧ１１）。即ち、ＭＳ２Ａ，３Ａ，５Ａは、ＢＳ１Ｂから受信したフレーム内２搭載されている第３ＡＣＫ情報"Ｌ"の値の分の応答情報を省いて、自身の応答情報が搭載されている順番に従って、継続して送信するフレーム（上り）２を送信するタイミングを設定する。
【０１７２】
各ＭＳ１Ａ〜５Ａは、それぞれ設定された所望のアクセスタイミングになると、各拡散コード（♯１或いは♯２）を用いてスペクトル拡散された信号を送信する（ステップＧ１２）。
図２１（ｂ）では、各ＭＳ１Ａ，４Ａは、周期Ｔ７−５内の４アクセスタイミングのうち、受信したフレーム（下り）３に搭載されている応答情報の順番に従ったアクセスタイミングで残りのフレーム（上り）２を位相のずれた拡散コード♯１を用いてスペクトル拡散して送信し、各ＭＳ２Ａ，３Ａ，５Ａは、受信したフレーム（下り）３に搭載されている応答情報のうち第３ＡＣＫ情報"Ｌ（＝２）"分の応答情報を除いた応答情報の順番に従ったアクセスタイミングで、残りのフレーム（上り）２を位相のずれた拡散コード♯２を用いてスペクトル拡散して送信する。
【０１７３】
以後、継続して送信したフレーム（上り）２に対しても、各ＭＳ１Ａ〜５Ａは、上記の処理を行なう（ステップＧ１２からステップＧ２）。
このように、本発明の第１実施形態の第７変形例に係るＣＤＭＡ通信システム１−７によれば、ＢＳ１Ｂが、第３ＡＣＫ情報"Ｌ"を各応答情報とともに伝送フレーム（下り）３に搭載して送信し、各ＭＳ１Ａ〜５Ａは、第３ＡＣＫ情報"Ｌ"を基に、自身の応答情報がフレーム（下り）３中に自身が用いる拡散コード（♯１或いは♯２）を用いて送信したフレーム（上り）２に対する応答情報のうちの何番目に搭載されているか分かるので、２種類の拡散コード（♯１，♯２）を用いたＣＤＭＡ通信においても、継続して残りのフレーム（上り）２を送信するアクセスタイミングの衝突を回避して、スループットの低下を抑制できる。
（９）その他
上記詳述した以外に、本発明は、発明の趣旨を逸脱しない範囲で種々変形して実施できる。
（１０）付記
（付記１）
基地局と、該基地局との間で通信を行なうに際して共通に使用する回線を介しスペクトル拡散した情報の遣り取りを行なう複数の端末装置とを有する符号分割多元接続通信システムにおいて、
該基地局が、
上記複数の端末装置からのランダムアクセス時に、該端末装置からのアクセス信号を受信する受信手段と、
該受信手段にて該端末装置からのアクセス信号を受信した場合に、その旨の応答情報を伝送フレームに複数の該端末装置分まとめて搭載して上記複数の端末装置へ送信する応答情報送信手段とをそなえ、
該端末装置が、
該基地局の該応答情報送信手段からの上記複数の応答情報を受信する応答情報受信手段と、
継続して該基地局へ送信する残り情報が有る場合に、該基地局へランダムアクセスした後に、該応答情報受信手段にて該基地局から受信した上記複数の応答情報のうち自端末装置に相当する応答情報が有する順番に従って、該基地局へ再度アクセスして該残り情報を送信する送信手段とをそなえて構成されたことを特徴とする、符号分割多元接続通信システム。
【０１７４】
（付記２）
上記端末装置の送信手段が、上記残り情報を継続して基地局へ送信する際に、上記の自端末装置に相当する応答情報が有する順番に従って設定された送信タイミング期間内に、該基地局へ再度アクセスして該残り情報を送信するように構成されたことを特徴とする、付記１記載の符号分割多元接続通信システム。
【０１７５】
（付記３）
上記基地局の応答情報送信手段が、所定の優先順位に従って並び替えられた複数の応答情報を搭載した該伝送フレームを上記複数の端末装置に送信するように構成されたことを特徴とする、付記１記載の符号分割多元接続通信システム。
（付記４）
上記基地局の応答情報送信手段が、所定の優先順位に従って並び替えられた複数の応答情報を搭載した該伝送フレームを上記複数の端末装置に送信するように構成されるとともに、  上記端末装置の送信手段が、上記残り情報を継続して基地局へ送信する際に、上記の自端末装置に相当する応答情報が有する順番に従って設定された送信タイミング期間内に、該基地局へ再度アクセスして該残り情報を送信するように構成されたことを特徴とする、付記１記載の符号分割多元接続通信システム。
【０１７６】
（付記５）
該端末装置が、
該基地局に初めてランダムアクセスを行なう前に、該応答情報受信手段にて、上記伝送フレームを受信するとともに、受信した上記伝送フレーム内に搭載されている該応答情報の数分だけ送信タイミングをずらして、該基地局へランダムアクセスを行なう手段をそなえていることを特徴とする付記１記載の符号分割多元接続通信システム。
【０１７７】
（付記６）
該基地局の応答情報送信手段が、上記応答情報と共に、残り情報を送信する端末装置の数を示す情報を該伝送フレームに搭載して該端末装置に送信するように構成されるとともに、
該端末装置が、
該基地局に初めてランダムアクセスを行なう前に、該応答情報受信手段にて、上記伝送フレームを受信するとともに、受信した上記伝送フレーム内に搭載されている残り情報を送信する端末装置の数分だけ送信タイミングをずらして、該基地局へランダムアクセスを行なう手段をそなえていることを特徴とする、付記１記載の符号分割多元接続通信システム。
【０１７８】
（付記７）
該基地局の応答情報送信手段が、
残り情報を送信する端末装置順に並び替えた該応答情報を搭載した伝送フレームを該端末装置に送信するとともに、
該残り情報を送信する該端末装置への該応答情報が、一定の範囲内で該端末装置が行なう送信タイミング数を超えるときは、超えた分の該応答情報を次回送信する伝送フレーム内に搭載するように構成されたことを特徴とする、付記１記載の符号分割多元接続通信システム。
【０１７９】
（付記８）
上記複数の端末装置が、少なくとも２種の異なる拡散情報の内の一方の拡散情報を用いてスペクトル拡散された情報を該基地局へ送信する第１端末装置と、上記少なくとも２種の異なる拡散情報の内の他方の拡散情報を用いてスペクトル拡散された情報を該基地局へ送信する第２端末装置とをそなえ、
該基地局の応答情報送信手段が、各拡散情報別に該応答情報を該伝送フレームに搭載して、該一方の拡散情報を用いた情報を送信した該第１端末装置に対する該応答情報の数情報または該他方の拡散情報を用いた情報を送信した該第２端末装置に対する該応答情報の数情報を該応答情報とともに該伝送フレームに搭載して上記複数の端末装置に送信するように構成されるとともに、
上記の第１端末装置または第２端末装置の送信手段が、
伝送フレーム内の自己が使用する拡散コード別に搭載されている該応答情報順に該残り情報を送信するように構成されたことを特徴とする、付記１記載の符号分割多元接続通信システム。
【０１８０】
（付記９）
符号分割多元接続通信システムにおいて、共通に使用する回線を介してスペクトル拡散した情報の遣り取りを複数の端末装置との間で行なう基地局であって、
上記複数の端末装置からのランダムアクセス時に、該端末装置からのアクセス信号を受信する受信手段と、
該受信手段にて該端末装置からのアクセス信号を受信した場合に、その旨の応答情報を、継続して該基地局へ送信する残り情報が有る上記複数の端末装置が所定の順番で該基地局へ再度アクセスして該残り情報を送信しうるように、該端末装置からのアクセス信号を受信した順に伝送フレームに複数の端末装置分まとめて搭載して上記複数の端末装置へ送信する応答情報送信手段とをそなえて構成されていることを特徴とする、符号分割多元接続システム用基地局。
【０１８１】
（付記１０）
該応答情報送信手段が、所定の優先順位に従って並び替えられた複数の応答情報を搭載した該伝送フレームを上記複数の端末装置に送信するように構成されたことを特徴とする、付記９記載の符号分割多元接続システム用基地局。
（付記１１）
該応答情報送信手段が、上記応答情報と共に、残り情報を送信する端末装置の数を示す情報を該伝送フレームに搭載して該端末装置に送信するように構成されたことを特徴とする、付記９記載の符号分割多元接続通信システム用基地局。
【０１８２】
（付記１２）
該応答情報送信手段が、
残り情報を送信する端末装置順に並び替えた該応答情報を搭載した伝送フレームを該端末装置に送信するとともに、
該残り情報を送信する該端末装置への該応答情報が、一定の範囲内で該端末装置が行なう送信タイミング数を超えるときは、超えた分の該応答情報を次回送信する伝送フレーム内に搭載するように構成されたことを特徴とする、付記９記載の符号分割多元接続通信システム用基地局。
【０１８３】
（付記１３）
該応答情報送信手段が、各拡散情報別に該応答情報を該伝送フレームに搭載して、少なくとも２種の異なる拡散情報の内の一方の拡散情報を用いてスペクトル拡散された情報を送信した上記複数の端末装置のうちの第１端末装置に対する該応答情報の数情報または他方の拡散情報を用いてスペクトル拡散された情報を送信した上記複数の端末装置のうちの第２端末装置に対する該応答情報の数情報を該応答情報とともに該伝送フレームに搭載して上記複数の端末装置に送信するように構成されたことを特徴とする、付記９記載の符号分割多元接続システム用基地局。
【０１８４】
（付記１４）
符号分割多元接続通信システムにおける基地局との間で通信を行なうに際して共通に使用する回線を介しスペクトル拡散した情報の遣り取りを行なう端末装置であって、
該基地局へランダムアクセスするランダムアクセス手段と、
該基地局へのランダムアクセスを行なうことにより、該基地局が、該端末装置からのアクセス信号を受信した場合に、その旨の応答情報を他の端末装置の応答情報とまとめて伝送フレームに搭載して該基地局から送られてくる複数の応答情報を受信する応答情報受信手段と、
継続して該基地局へ送信する残り情報が有る場合に、該基地局へランダムアクセスした後に、該応答情報受信手段にて該基地局から受信した上記複数の応答情報のうち自端末装置に相当する応答情報が有する順番に従って、該基地局へ再度アクセスして該残り情報を送信する送信手段とをそなえて構成されたことを特徴とする、符号分割多元接続通信システム用端末装置。
【０１８５】
（付記１５）
該送信手段が、上記残り情報を継続して基地局へ送信する際に、上記の自端末装置に相当する応答情報が有する順番に従って設定された送信タイミング期間内に、該基地局へ再度アクセスして該残り情報を送信するように構成されたことを特徴とする、付記１４記載の符号分割多元接続通信システム用端末装置。
【０１８６】
（付記１６）
該基地局に初めてランダムアクセスを行なう前に、該応答情報受信手段にて、上記伝送フレームを受信するとともに、受信した上記伝送フレーム内に搭載されている該応答情報の数分だけ送信タイミングをずらして、該基地局へランダムアクセスを行なう手段をそなえていることを特徴とする付記１４記載の符号分割多元接続通信システム用端末装置。
【０１８７】
（付記１７）
該基地局に初めてランダムアクセスを行なう前に、該応答情報受信手段にて、該応答情報と共に残り情報を送信する端末装置の数を示す情報を搭載した伝送フレームを受信するとともに、受信した上記伝送フレーム内に搭載されている残り情報を送信する端末装置の数分だけ送信タイミングをずらして、該基地局へランダムアクセスを行なう手段をそなえていることを特徴とする、付記１４記載の符号分割多元接続通信システム用端末装置。
【０１８８】
（付記１８）
基地局と、該基地局との間で通信を行なう複数の端末装置とをそなえ、共通に使用する回線を介しスペクトル拡散した情報の遣り取りを上記の基地局と複数の端末装置との間で行なう符号分割多元接続通信方法において、
該基地局で、上記複数の端末装置からのランダムアクセス時に、該端末装置からのアクセス信号を受信した場合に、その旨の応答情報を伝送フレームに複数の該端末装置分まとめて搭載して上記複数の端末装置へ送信する応答情報送信ステップと、
上記複数の端末装置が、継続して該基地局へ送信する残り情報が有る場合に、該基地局へランダムアクセスした後に、該基地局から受信した上記複数の応答情報のうち各端末装置に相当する応答情報が有する順番に従って、該基地局へ再度アクセスして該残り情報を送信する送信ステップとをそなえて構成されたことを特徴とする、符号分割多元接続通信方法。
【０１８９】
（付記１９）
上記複数の端末装置が、上記残り情報を継続して基地局へ送信する際に、各端末装置に相当する応答情報が有する順番に従って設定された送信タイミング期間内に、それぞれ該基地局へ再度アクセスして該残り情報を送信することを特徴とする、付記１８記載の符号分割多元接続通信方法。
【０１９０】
（付記２０）
上記基地局が、所定の優先順位に従って並び替えられた複数の応答情報を搭載した該伝送フレームを上記複数の端末装置に送信することを特徴とする、付記１８記載の符号分割多元接続通信方法。
（付記２１）
上記基地局が、所定の優先順位に従って並び替えられた複数の応答情報を搭載した該伝送フレームを上記複数の端末装置に送信するとともに、
上記複数の端末装置が、上記残り情報を継続して基地局へ送信する際に、各端末装置に相当する応答情報が有する順番に従って設定された送信タイミング期間内に、それぞれ該基地局へ再度アクセスして該残り情報を送信することを特徴とする、付記１８記載の符号分割多元接続通信方法。
【０１９１】
（付記２２）
該端末装置が、
該基地局に初めてランダムアクセスを行なう前に、該応答情報受信手段にて、上記伝送フレームを受信するとともに、受信した上記伝送フレーム内に搭載されている該応答情報の数分だけ送信タイミングをずらして、該基地局へランダムアクセスを行なうことを特徴とする付記１８記載の符号分割多元接続通信方法。
【０１９２】
（付記２３）
該基地局が、上記応答情報と共に、残り情報を送信する端末装置の数を示す情報を該伝送フレームに搭載して該端末装置に送信するとともに、
該端末装置が、該基地局に初めてランダムアクセスを行なう前に、上記伝送フレームを受信するとともに、受信した上記伝送フレーム内に搭載されている残り情報を送信する端末装置の数分だけ送信タイミングをずらして、該基地局へランダムアクセスを行なうことを特徴とする、付記１８記載の符号分割多元接続通信方法。
【０１９３】
（付記２４）
該基地局が、
残り情報を送信する端末装置順に並び替えた該応答情報を搭載した伝送フレームを該端末装置に送信するとともに、
該残り情報を送信する該端末装置への該応答情報が、一定の範囲内で該端末装置が行なう送信タイミング数を超えるときは、超えた分の該応答情報を次回送信する伝送フレーム内に搭載することを特徴とする、付記１８記載の符号分割多元接続通信方法。
【０１９４】
（付記２５）
上記複数の端末装置が、少なくとも２種の異なる拡散情報の内の一方の拡散情報を用いてスペクトル拡散された情報を該基地局へ送信する第１端末装置と、上記少なくとも２種の異なる拡散情報の内の他方の拡散情報を用いてスペクトル拡散された情報を該基地局へ送信する第２端末装置とをそなえ、
該基地局が、各拡散情報別に該応答情報を該伝送フレームに搭載して、該一方の拡散情報を用いた情報を送信した該第１端末装置に対する該応答情報の数情報または該他方の拡散情報を用いた情報を送信した該第２端末装置に対する該応答情報の数情報を該応答情報とともに該伝送フレームに搭載して上記複数の端末装置に送信するとともに、
上記の第１端末装置または第２端末装置の送信手段が、伝送フレーム内の自己が使用する拡散コード別に搭載されている該応答情報順に該残り情報を送信することを特徴とする、付記１８記載の符号分割多元接続通信方法。
【図面の簡単な説明】
【０１９５】
【図１】本発明に関連する符号分割多元接続通信システムを示す原理ブロック図である。
【図２】第１実施形態に係るＣＤＭＡ通信システムの構成を示すブロック図である。
【図３】（ａ），（ｂ）は、ＭＳとＢＳとの間で送受されるフレームの構成例である。
【図４】第１実施形態に係るＭＳの構成例を示すブロック図である。
【図５】第１実施形態に係るＢＳの構成例を示すブロック図である。
【図６】第１実施形態に係るＣＤＭＡ通信システムの信号シーケンスを説明するための図である。
【図７】（ａ），（ｂ）は、第１実施形態に係るＣＤＭＡ通信システムの動作を説明するためのタイムチャートである。
【図８】第１実施形態に係るＭＳの動作を説明するためのフローチャートである。
【図９】（ａ），（ｂ）は、第１実施形態の第１変形例に係るＣＤＭＡ通信システムの動作を説明するためのタイムチャートである。
【図１０】第１実施形態の第１変形例に係るＭＳの動作を説明するためのフローチャートである。
【図１１】（ａ），（ｂ）は、第１実施形態の第２変形例に係るＣＤＭＡ通信システムの動作を説明するためのタイムチャートである。
【図１２】第１実施形態の第２変形例に係るＢＳの動作を説明するためのフローチャートである。
【図１３】（ａ），（ｂ）は、第１実施形態の第３変形例に係るＣＤＭＡ通信システムの動作を説明するためのタイムチャートである。
【図１４】（ａ），（ｂ）は、第１実施形態の第４変形例に係るＣＤＭＡ通信システムの動作を説明するためのタイムチャートである。
【図１５】第１実施形態の第４変形例に係るＭＳの動作を説明するためのフローチャートである。
【図１６】（ａ），（ｂ）は、第１実施形態の第５変形例に係るＣＤＭＡ通信システムの動作を説明するためのタイムチャートである。
【図１７】第１実施形態の第５変形例に係るＭＳの動作を説明するためのフローチャートである。
【図１８】第１実施形態の第５変形例に係るＢＳの動作を説明するためのフローチャートである。
【図１９】（ａ），（ｂ）は、第１実施形態の第６変形例に係るＣＤＭＡ通信システムの動作を説明するためのタイムチャートである。
【図２０】第１実施形態の第５変形例に係るＢＳの動作を説明するためのフローチャートである。
【図２１】（ａ），（ｂ）は、第１実施形態の第７変形例に係るＣＤＭＡ通信システムの動作を説明するためのタイムチャートである。
【図２２】第１実施形態の第７変形例に係るＭＳの動作を説明するためのフローチャートである。
【図２３】第１実施形態の第７変形例に係るＢＳの動作を説明するためのフローチャートである。
【図２４】（ａ），（ｂ）は、一般のＣＤＭＡ通信システムの動作を説明するためのタイムチャートである。
【符号の説明】
【０１９６】
１，１−１，１−２，１−３，１−４，１−５，１−６，１−７，１００  ＣＤＭＡ通信システム
１Ａ〜ｎＡ  ＭＳ
１Ｂ  ＢＳ
１０，１０−１  受信部
１１  周波数変換回路
１２  直交検波回路
１３，１４  Ａ／Ｄ
１６，１６−１〜１６−４  逆拡散部
１７  パスサーチ回路
１８，１９，２２，２３  フィルタ
２０，２０−１  送信部
２１  拡散部
２４，２５  Ｄ／Ａ
２６  直交変調回路
２７  周波数変換回路
３０  デュプレクサ  ４０，４０−１  ＣＰＵ
５０  アンテナ
６０−１〜６０−Ｉ  端末装置
６０ａ  応答情報受信手段
６０ｂ  送信手段
６０ｃ  ランダムアクセス手段
８０  基地局
８０ａ  受信手段
８０ｂ  応答情報送信手段
【図１】
2010161810.tif 000004
【図２】
2010161810.tif 000005
【図３】
2010161810.tif 000006
【図４】
2010161810.tif 000007
【図５】
2010161810.tif 000008
【図６】
2010161810.tif 000009
【図７】
2010161810.tif 000010
【図８】
2010161810.tif 000011
【図９】
2010161810.tif 000012
【図１０】
2010161810.tif 000013
【図１１】
2010161810.tif 000014
【図１２】
2010161810.tif 000015
【図１３】
2010161810.tif 000016
【図１４】
2010161810.tif 000017
【図１５】
2010161810.tif 000018
【図１６】
2010161810.tif 000019
【図１７】
2010161810.tif 000020
【図１８】
2010161810.tif 000021
【図１９】
2010161810.tif 000022
【図２０】
2010161810.tif 000023
【図２１】
2010161810.tif 000024
【図２２】
2010161810.tif 000025
【図２３】
2010161810.tif 000026
【図２４】
2010161810.tif 000027